(57)【特許請求の範囲】
【請求項１】
主走査方向および副走査方向にマトリックス状に整列した複数の画素を含む表示面を有し、フレーム画像を時間的に切り換えて前記表示面に表示する液晶パネルと、
前記フレーム画像を表示するためのフレーム画像信号に基づき、該フレーム画像信号よりも低い解像度の画像を表し、前記表示面の全ての前記画素に書き込まれるデータを含む第１画像信号と、前記表示面の前記画素のうち一部の画素に書き込まれるデータを含み、前記一部の画素以外の残余画素に書き込まれるデータを含まない第２画像信号と、を生成する生成部と、
前記第１画像信号を前記表示面に亘って走査する第１走査動作を実行した後、前記第２画像信号を前記表示面に亘って前記一部の画素について走査し、前記残余画素については書き込み済みのデータが保持される第２走査動作を少なくとも１回実行し、前記第２走査動作を実行した後、前記フレーム画像信号を前記表示面に亘って走査する第３走査動作を実行し、前記液晶パネルを駆動する液晶駆動部と、を備え、
前記表示面に含まれる前記複数の画素は、前記副走査方向に隣接して整列した少なくとも４個の画素をそれぞれ含む複数の画素グループに分割され、
前記生成部は、前記第１画像信号として、前記画素グループごとに、該画素グループに含まれる前記少なくとも４個の画素に共通する等価輝度を第１駆動輝度として設定する書き込みデータを含む信号を生成し、
前記第１走査動作を実行する液晶駆動部は、前記画素グループごとに、前記第１駆動輝度に向けて、前記画素グループに含まれる前記少なくとも４個の画素をそれぞれ同時に駆動し、
前記画素グループは、少なくとも２個の画素をそれぞれ含む複数のサブグループにさらに分割され、
前記画素グループに含まれる一部の前記サブグループを駆動サブグループとし、
前記生成部は、前記第２画像信号として、前記駆動サブグループに含まれる前記少なくとも２個の画素に共通する等価輝度を第２駆動輝度として設定する書き込みデータを含み、前記駆動サブグループ以外のサブグループに含まれる前記残余画素に書き込まれるデータを含まない信号を生成し、
前記第２走査動作を実行する液晶駆動部は、前記駆動サブグループごとに、前記第２駆動輝度に向けて、前記駆動サブグループに含まれる前記少なくとも２個の画素を同時に駆動し、
前記生成部は、前記画素グループに含まれる複数のサブグループのうち１個のサブグループである特定サブグループに含まれる前記少なくとも２個の画素それぞれに対して前記フレーム画像信号で規定される目標輝度を平均した平均輝度に基づき前記第１駆動輝度を設定し、
前記生成部は、前記第１駆動輝度の設定時に選択した特定サブグループ以外の少なくとも１個のサブグループを、前記駆動サブグループに設定し、さらに、前記駆動サブグループに含まれる前記少なくとも２個の画素それぞれに対して前記フレーム画像信号で規定される目標輝度を平均した平均輝度に基づき前記第２駆動輝度を設定する、
ことを特徴とする表示装置。
【請求項２】
前記フレーム画像は、左眼で視聴されるように作成された左眼用フレーム画像と右眼で視聴されるように作成された右眼用フレーム画像とを含み、
前記生成部は、前記左眼用フレーム画像又は前記右眼用フレーム画像を表示するための前記フレーム画像信号に基づき、前記第１画像信号と前記第２画像信号とを生成し、
前記液晶パネルは、前記左眼用フレーム画像と前記右眼用フレーム画像とを、時間的に交互に切り換えて、立体的に知覚される画像を前記表示面に表示することを特徴とする請求項１記載の表示装置。 
【発明の詳細な説明】
【技術分野】
【０００１】
本発明は、映像を表示する表示装置及び映像視聴システムに関する。
【背景技術】
【０００２】
映像を表示する表示装置において、例えば立体的に知覚される映像を表示する表示装置は、左眼で視聴されるための左眼用フレーム画像（以下、Ｌフレーム画像と称される）と、右眼で視聴されるための右眼用フレーム画像（以下、Ｒフレーム画像と称される）とを所定周期（例えば、フィールド周期）で交互に表示する。表示されるＬフレーム画像及びＲフレーム画像は、視差の分だけ異なる内容を含む。視聴者は、Ｌフレーム画像及びＲフレーム画像の表示周期に同期して駆動される液晶シャッタを備える眼鏡装置を通じて、Ｌフレーム画像及びＲフレーム画像を視聴する（例えば、特許文献１及び特許文献２参照）。この結果、視聴者は、Ｌフレーム画像及びＲフレーム画像に表現されたオブジェクトを立体的に知覚する。
【０００３】
図３７は、従来の映像視聴システムのブロック図である。尚、図３７に示される映像視聴システムには、６０Ｈｚの映像信号（左眼用映像信号及び右眼用映像信号）が入力される。
【０００４】
映像視聴システム９００は、６０Ｈｚの映像信号（左眼用映像信号及び右眼用映像信号）が入力される映像信号処理部９０１を備える。映像信号処理部９０１は、入力された映像信号を１２０Ｈｚの左眼用映像信号と右眼用映像信号とに変換する。変換された左眼用映像信号及び右眼用映像信号は、液晶駆動部９０２及びバックライト制御部９０３へ出力される。液晶駆動部９０２は、１２０Ｈｚの左眼用映像信号及び右眼用映像信号を液晶パネル９０４で表示可能な形式に変換する。液晶駆動部９０２によって変換された左眼用映像信号及び右眼用映像信号は液晶パネル９０４に出力される。バックライト制御部９０３は、バックライト９０５に発光制御信号を出力する。バックライト９０５は、発光制御信号により液晶パネル９０４に対し、液晶パネル９０４の背面から光を照射する。この結果、液晶パネル９０４に、１２０ＨｚでＬフレーム画像及びＲフレーム画像が交互に表示される。
【０００５】
眼鏡装置９５０は、左眼シャッタ９５１と右眼シャッタ９５２とを備える。映像信号処理部９０１によって変換された１２０Ｈｚの左眼用映像信号及び右眼用映像信号を基準にして、左眼シャッタ９５１用のシャッタ制御回路９０６及び右眼シャッタ９５２用のシャッタ制御回路９０７は、左眼シャッタ９５１及び右眼シャッタ９５２を同期制御する。
【０００６】
図３８は、従来の映像視聴システム９００の制御タイミングチャートである。図３８のセクション（Ａ）は、液晶パネル９０４のＬフレーム画像及びＲフレーム画像の走査タイミングを示す。図３８のセクション（Ｂ）は、バックライト９０５の点灯タイミングを示す。図３８のセクション（Ｃ）は、眼鏡装置９５０のシャッタ９５１，９５２の開閉タイミングを示す。図３７及び図３８を用いて、従来の映像視聴システム９００が説明される。
【０００７】
液晶パネル９０４に左眼用映像信号及び右眼用映像信号が順次書き込まれる。この間、バックライト９０５は常時点灯している。シャッタ制御回路９０６，９０７は、シャッタ９５１，９５２を制御する。液晶パネル９０４への左右交互の書き込み走査の後、シャッタの開期間がそれぞれの映像期間の半分となるように、シャッタ９５１，９５２は、シャッタ制御回路９０６，９０７の制御下で開閉する。シャッタ９５１，９５２を通じて視聴されるＬフレーム画像及びＲフレーム画像は、視聴者の左右の眼でそれぞれ視聴される。この結果、視聴者は、脳内で、視覚的な立体像を生成する。
【０００８】
図３８に示される制御タイミングで動作する映像視聴システムにおいて、視聴者はシャッタ９５１，９５２が開かれている期間（立体像の生成に必要な映像を視聴するのに十分な期間）のみＬフレーム画像又はＲフレーム画像を視聴する。一方、バックライト９０５は、シャッタ９５１，９５２が開かれている期間以外の期間においても常時点灯している。したがって、図３８に示される制御タイミングで動作する映像視聴システムは、省電力の観点から好ましくない。
【０００９】
図３９は、従来の映像視聴システム９００の他の制御タイミングチャートである。図３９のセクション（Ａ）は、液晶パネル９０４のＬフレーム画像及びＲフレーム画像の走査タイミングを示す。図３９のセクション（Ｂ）は、バックライト９０５の点灯タイミングを示す。図３９のセクション（Ｃ）は、眼鏡装置９５０のシャッタ９５１，９５２の開閉タイミングを示す。図３７乃至図３９を用いて、従来の映像視聴システム９００が更に説明される。
【００１０】
特許文献２は、Ｌフレーム画像又はＲフレーム画像が視聴される期間のみバックライト９０５が点灯される制御を開示する。図３９に示される制御では、図３８に示される制御と異なり、Ｌフレーム画像又はＲフレーム画像が視聴される期間のみバックライト９０５が発光している。したがって、図３９に示される制御は、図３８に示される制御よりも省電力の点で優れている。
【先行技術文献】
【特許文献】
【００１１】
【特許文献１】特開昭６２−１３３８９１号公報
【特許文献２】特開２００９−２５４３６号公報
【発明の概要】
【発明が解決しようとする課題】
【００１２】
左眼シャッタ９５１は、液晶パネル９０４が左眼で視聴されるように作成されたＬフレーム画像を表示した後且つＲフレーム画像を表示するための右眼用映像信号が走査される前に開かれる。同様に、右眼シャッタ９５２は、液晶パネル９０４が右眼で視聴されるように作成されたＲフレーム画像を表示した後且つＬフレーム画像を表示するための左眼用映像信号が走査される前に開かれる。
【００１３】
図３８及び図３９に示される如く、左眼用映像信号及び／又は右眼用映像信号は液晶パネル９０４の上部から走査される。したがって、液晶パネル９０４の下部における左眼用映像信号及び／又は右眼用映像信号の走査は、液晶パネル９０４の上部に対して遅れる。
【００１４】
左眼用映像信号及び／又は右眼用映像信号に基づく液晶の応答は、表示される映像の種類に応じた時間を要求する。例えば、先行して表示されるフレーム画像を表現する画素の輝度と、後に表示されるフレーム画像を表現する画素の輝度との間で大きさ差異が生ずる場合、比較的長い液晶の応答時間が要求される。
【００１５】
Ｌフレーム画像又はＲフレーム画像の表示が完了するのを待って、左眼シャッタ９５１又は右眼シャッタ９５２が開かれた場合、液晶の応答時間が長いことに起因して、左眼シャッタ９５１又は右眼シャッタ９５２が開かれている期間が短くなる。この結果、視聴者は液晶パネル９０４に表示された立体映像を暗く感じる。
【００１６】
Ｌフレーム画像の表示が完了するのを待たずに、左眼シャッタ９５１が開かれた場合、視聴者は、先行して表示されたＲフレーム画像の影響が混在したＬフレーム画像を視聴することとなる。同様に、Ｒフレーム画像の表示が完了するのを待たずに、右眼シャッタ９５２が開かれた場合、視聴者は、先行して表示されたＬフレーム画像の影響が混在したＲフレーム画像を視聴することとなる。このようなＬフレーム画像とＲフレーム画像との混在は、クロストークと称される。液晶パネル９０４の下部における左眼用映像信号及び／又は右眼用映像信号の走査の遅れ並びに液晶の応答時間に起因して、先行するフレーム画像（Ｌフレーム画像又はＲフレーム画像）の混在量は、液晶パネル９０４の下部において特に大きくなる。したがって、視聴者は液晶パネル９０４の下部において表示されたフレーム画像を立体的に知覚しにくくなる。
【００１７】
上述の問題は、立体的に知覚される映像を表示する表示装置に限られず、通常の平面的に知覚される映像を表示する表示装置でも発生し得る。すなわち、先行して表示される先行フレーム画像の影響が、先行フレーム画像の後に表示される後続フレーム画像に混在してクロストークが発生すると、表示される映像の品質が低下することとなる。
【００１８】
本発明は、先行フレーム画像と後続フレーム画像との間のクロストークを抑制することができる表示装置及び映像視聴システムを提供することを目的とする。
【課題を解決するための手段】
【００１９】
本発明の一の局面に係る表示装置は、主走査方向および副走査方向にマトリックス状に整列した複数の画素を含む表示面を有し、フレーム画像を時間的に切り換えて前記表示面に表示する液晶パネルと、前記フレーム画像を表示するためのフレーム画像信号に基づき、該フレーム画像信号よりも低い解像度の画像を表し、前記表示面の全ての前記画素に書き込まれるデータを含む第１画像信号と、前記表示面の前記画素のうち一部の画素に書き込まれるデータを含み、前記一部の画素以外の残余画素に書き込まれるデータを含まない第２画像信号と、を生成する生成部と、前記第１画像信号を前記表示面に亘って走査する第１走査動作を実行した後、前記第２画像信号を前記表示面に亘って走査する第２走査動作を少なくとも１回実行し、前記液晶パネルを駆動する液晶駆動部と、を備え、前記第２走査動作では、前記残余画素については書き込み済みのデータが保持されることを特徴とする。
【００２０】
上記構成によれば、液晶パネルは、フレーム画像を時間的に切り換えて表示面に表示する。液晶パネルの表示面は、主走査方向および副走査方向にマトリックス状に整列した複数の画素を含む。生成部は、フレーム画像を表示するためのフレーム画像信号に基づき、フレーム画像信号よりも低い解像度の画像を表し、表示面の全ての画素に書き込まれるデータを含む第１画像信号と、表示面の画素のうち一部の画素に書き込まれるデータを含み、一部の画素以外の残余画素に書き込まれるデータを含まない第２画像信号と、を生成する。
【００２１】
液晶駆動部は、フレーム画像信号よりも低い解像度の画像を表し、表示面の全ての画素に書き込まれるデータを含む第１画像信号を表示面に亘って走査する第１走査動作を実行する。また、液晶駆動部は、第１走査動作を実行した後、表示面の画素のうち一部の画素に書き込まれるデータを含み、一部の画素以外の残余画素に書き込まれるデータを含まない第２画像信号を表示面に亘って走査する第２走査動作を少なくとも１回実行する。第２走査動作では、残余画素については書き込み済みのデータが保持される。
【００２２】
一般的に、副走査方向の輝度変動の周波数が低い画像領域におけるクロストークは、視聴者に知覚されやすく、副走査方向の輝度変動の周波数が高い画像領域におけるクロストークは、視聴者に知覚されにくい。ここで、第１走査動作における第１画像信号は、表示面の全ての画素に書き込まれるデータを含むが、フレーム画像信号よりも低い解像度の画像を表すため、第１走査動作を高速に実行できるので、表示面全体の画素の駆動が早期に行われる。また、第２走査動作における第２画像信号は、表示面の画素のうち一部の画素に書き込まれるデータを含み、一部の画素以外の残余画素に書き込まれるデータを含まず、第２走査動作では、残余画素については書き込み済みのデータが保持されるため、やはり第２走査動作を高速に実行することができる。したがって、副走査方向の輝度変動の周波数が低い画像領域の描画は、第１走査動作及び第２走査動作により早期に達成される。このため、視聴者は先行フレーム画像と後続フレーム画像との間のクロストークをほとんど知覚しない。
【００２３】
上記構成において、前記フレーム画像は、左眼で視聴されるように作成された左眼用フレーム画像と右眼で視聴されるように作成された右眼用フレーム画像とを含み、前記生成部は、前記左眼用フレーム画像又は前記右眼用フレーム画像を表示するための前記フレーム画像信号に基づき、前記第１画像信号と前記第２画像信号とを生成し、前記液晶パネルは、前記左眼用フレーム画像と前記右眼用フレーム画像とを、時間的に交互に切り換えて、立体的に知覚される画像を前記表示面に表示することが好ましい。
【００２４】
上記構成によれば、フレーム画像は、左眼で視聴されるように作成された左眼用フレーム画像と右眼で視聴されるように作成された右眼用フレーム画像とを含む。生成部は、左眼用フレーム画像又は右眼用フレーム画像を表示するためのフレーム画像信号に基づき、第１画像信号と第２画像信号とを生成する。液晶パネルは、左眼用フレーム画像と右眼用フレーム画像とを、時間的に交互に切り換えて、立体的に知覚される画像を表示面に表示する。第１走査動作及び第２走査動作を高速に実行できるので、副走査方向の輝度変動の周波数が低い画像領域の描画は、第１走査動作及び第２走査動作により早期に達成される。このため、視聴者は左眼用フレーム画像と右眼用フレーム画像との間のクロストークをほとんど知覚しない。
【００２５】
上記構成において、前記生成部は、Ｎ個（Ｎは２以上の整数）の前記第２画像信号を生成し、前記液晶駆動部は、前記Ｎ個の第２画像信号をそれぞれ前記表示面に亘って走査する前記第２走査動作を、１個目の前記第２画像信号からＮ個目の前記第２画像信号まで順番にＮ回実行し、ｎ回目（ｎは２以上Ｎ以下の整数）の前記第２走査動作では、（ｎ−１）回目の前記第２走査動作において前記第２画像信号のデータが書き込まれていない画素の一部の画素である駆動画素にデータを書き込み、前記駆動画素以外の画素にデータを書き込まないことが好ましい。
【００２６】
上記構成によれば、生成部は、Ｎ個（Ｎは２以上の整数）の第２画像信号を生成する。液晶駆動部は、Ｎ個の第２画像信号をそれぞれ表示面に亘って走査する第２走査動作を、１個目の第２画像信号からＮ個目の第２画像信号まで順番にＮ回実行する。また、液晶駆動部は、ｎ回目（ｎは２以上Ｎ以下の整数）の第２走査動作では、（ｎ−１）回目の第２走査動作において第２画像信号のデータが書き込まれていない画素の一部の画素である駆動画素にデータを書き込み、駆動画素以外の画素にデータを書き込まない。したがって、（ｎ−１）回目の第２走査動作及びｎ回目の第２走査動作のいずれにおいても、一部の駆動画素が駆動され、駆動画素以外の画素については駆動されずに書き込み済みのデータが保持されることから、いずれの第２走査動作も高速に実行することができる。したがって、表示面全体に亘ってクロストークを減少させることができる。
【００２７】
上記構成において、前記表示面に含まれる前記複数の画素は、前記副走査方向に隣接して整列した複数の画素をそれぞれ含む複数の画素グループに分割され、前記生成部は、前記第１画像信号として、前記画素グループごとに、該画素グループに含まれる前記画素に共通する等価輝度を駆動輝度として設定する書き込みデータを含む信号を生成し、前記第１走査動作を実行する液晶駆動部は、前記画素グループごとに、前記駆動輝度に向けて、前記画素グループに含まれる前記画素をそれぞれ同時に駆動することが好ましい。
【００２８】
上記構成によれば、表示面に含まれる複数の画素は、副走査方向に隣接して整列した複数の画素をそれぞれ含む複数の画素グループに分割されている。生成部は、第１画像信号として、画素グループごとに、画素グループに含まれる画素に共通する等価輝度を駆動輝度として設定する書き込みデータを含む信号を生成する。第１走査動作を実行する液晶駆動部は、画素グループごとに、駆動輝度に向けて、画素グループに含まれる画素をそれぞれ同時に駆動する。したがって、第１走査動作を実行する期間は、表示面の全ての画素を順次駆動する場合に比べて、短くなる。
【００２９】
上記構成において、前記画素グループは、少なくとも１個の画素をそれぞれ含む複数のサブグループにさらに分割され、前記生成部は、前記第２画像信号として、一部の前記サブグループである駆動サブグループに含まれる画素に共通する等価輝度を駆動輝度として設定する書き込みデータを含み、前記駆動サブグループ以外のサブグループに含まれる画素に書き込まれるデータを含まない信号を生成し、前記第２走査動作を実行する液晶駆動部は、前記駆動サブグループごとに、前記駆動輝度に向けて、前記駆動サブグループに含まれる前記少なくとも１個の画素を同時に駆動することが好ましい。
【００３０】
上記構成によれば、画素グループは、少なくとも１個の画素をそれぞれ含む複数のサブグループにさらに分割されている。生成部は、第２画像信号として、一部のサブグループである駆動サブグループに含まれる画素に共通する等価輝度を駆動輝度として設定する書き込みデータを含み、駆動サブグループ以外のサブグループに含まれる画素に書き込まれるデータを含まない信号を生成する。第２走査動作を実行する液晶駆動部は、駆動サブグループごとに、駆動輝度に向けて、駆動サブグループに含まれる少なくとも１個の画素を同時に駆動する。したがって、駆動サブグループに含まれる画素が駆動され、駆動サブグループ以外のサブグループに含まれる画素は駆動されないため、第２走査動作を実行する期間は、表示面の全ての画素を順次駆動する場合に比べて、短くなる。
【００３１】
上記構成において、前記等価輝度は、前記フレーム画像信号が前記画素グループ又は前記駆動サブグループに含まれる前記画素それぞれに対して規定した目標輝度から選択された選択輝度に基づき設定されることが好ましい。
【００３２】
上記構成によれば、等価輝度は、フレーム画像信号が画素グループ又は駆動サブグループに含まれる画素それぞれに対して規定した目標輝度から選択された選択輝度に基づき設定されるので、副走査方向の輝度変動の周波数が低い画像領域の描画は、適切に行われる。また、選択された輝度が規定されるので、少なくとも選択された輝度に対応する画素に対してはフレーム画像信号が規定する輝度が規定される。
【００３３】
上記構成において、前記選択輝度は、前記画素グループ又は前記駆動サブグループに含まれる前記画素のうちで選択された特定画素に対して前記フレーム画像信号が規定した目標輝度であり、前記第２画像信号は、前記第１画像信号において前記特定画素として選択された画素に書き込まれるデータを含まず、前記第２走査動作では、前記特定画素として選択された画素については書き込み済みのデータが保持されることが好ましい。
【００３４】
上記構成によれば、選択輝度は、画素グループ又は駆動サブグループに含まれる画素のうちで選択された特定画素に対してフレーム画像信号が規定した目標輝度である。第２画像信号は、第１画像信号において特定画素として選択された画素に書き込まれるデータを含まない。第２走査動作では、特定画素として選択された画素については書き込み済みのデータが保持される。したがって、第１画像信号において特定画素として選択された画素の目標輝度は選択輝度に一致しているが、特定画素として選択された画素は、第２走査動作では、液晶駆動部によって駆動されることなく、そのまま保持される。したがって、第２走査動作を高速で実行可能にしつつ、フレーム画像信号に基づく画素の駆動を実現することができる。
【００３５】
上記構成において、前記生成部は、Ｎ個（Ｎは２以上の整数）の前記第２画像信号を生成し、前記液晶駆動部は、前記Ｎ個の第２画像信号をそれぞれ前記表示面に亘って走査する前記第２走査動作を、１個目の前記第２画像信号からＮ個目の前記第２画像信号まで順番にＮ回実行し、ｎ回目（ｎは２以上Ｎ以下の整数）に前記第２走査動作が実行されるｎ個目の前記第２画像信号は、１個目から（ｎ−１）個目までの前記第２画像信号において前記特定画素として選択された画素に書き込まれるデータを含まず、前記ｎ回目の第２走査動作では、前記特定画素として選択された画素については書き込み済みのデータが保持されることが好ましい。
【００３６】
上記構成によれば、生成部は、Ｎ個（Ｎは２以上の整数）の第２画像信号を生成する。液晶駆動部は、Ｎ個の第２画像信号をそれぞれ表示面に亘って走査する第２走査動作を、１個目の第２画像信号からＮ個目の第２画像信号まで順番にＮ回実行する。ｎ回目（ｎは２以上Ｎ以下の整数）に第２走査動作が実行されるｎ個目の第２画像信号は、１個目から（ｎ−１）個目までの第２画像信号において特定画素として選択された画素に書き込まれるデータを含まない。ｎ回目の第２走査動作では、特定画素として選択された画素については書き込み済みのデータが保持される。したがって、特定画素として選択された画素の目標輝度は選択輝度に一致しているため、ｎ回目の第２走査動作を高速で実行可能にしつつ、フレーム画像信号に基づく画素の駆動を実現することができる。
【００３７】
上記構成において、前記液晶駆動部は、前記第２走査動作を実行した後、前記フレーム画像信号を前記表示面に亘って走査する第３走査動作を実行することが好ましい。
【００３８】
上記構成によれば、液晶駆動部は、第２走査動作を実行した後、フレーム画像信号を表示面に亘って走査する第３走査動作を実行する。等価輝度は、選択輝度に基づき設定されているため、選択輝度が目標輝度に一致している画素は、目標輝度に達している筈である。しかし、その画素が駆動されることなく保持されたままの場合には、その保持されている間に、液晶のカップリングの影響等によって、目標輝度から変動することも考えられる。そこで、フレーム画像信号を表示面に亘って走査する第３走査動作を実行することによって、フレーム画像信号が画素グループ又は駆動サブグループに含まれる画素それぞれに対して規定した目標輝度に向けて、画素それぞれを確実に駆動することができる。
【００３９】
上記構成において、前記等価輝度は、前記フレーム画像信号が前記画素グループ又は前記駆動サブグループに含まれる前記画素それぞれに対して規定した目標輝度が平均化された平均輝度に基づき設定されることが好ましい。
【００４０】
上記構成によれば、等価輝度は、フレーム画像信号が画素グループ又は駆動サブグループに含まれる画素それぞれに対して規定した目標輝度が平均化された平均輝度に基づき設定されるので、副走査方向の輝度変動の周波数が低い画像領域の描画は、適切に行われる。また、平均化された輝度が規定されるので、グループ内に含まれるすべての画素に対してフレーム画像信号が規定する目標輝度から大きく乖離しない輝度が規定される。
【００４１】
上記構成において、前記液晶駆動部は、前記第２走査動作を実行した後、前記フレーム画像信号を前記表示面に亘って走査する第３走査動作を実行することが好ましい。
【００４２】
上記構成によれば、液晶駆動部は、第２走査動作を実行した後、フレーム画像信号を表示面に亘って走査する第３走査動作を実行する。等価輝度は、平均輝度に基づき設定されているため、画素グループ又は駆動サブグループに含まれる画素の輝度は平均輝度に近づいているが、フレーム画像信号が画素グループ又は駆動サブグループに含まれる画素それぞれに対して規定した目標輝度には一致していない。そこで、フレーム画像信号を表示面に亘って走査する第３走査動作を実行することによって、フレーム画像信号が画素グループ又は駆動サブグループに含まれる画素それぞれに対して規定した目標輝度に向けて、画素それぞれを確実に駆動することができる。
【００４３】
上記構成において、前記フレーム画像信号は、先行して表示される先行フレーム画像を表示するための先行画像信号と、前記先行フレーム画像の後に表示される後続フレーム画像を表示するための後続画像信号と、を含み、前記フレーム画像信号が前記画素グループ内の前記画素それぞれに対して規定した目標輝度が平均化された輝度を平均輝度とし、前記フレーム画像信号が前記画素グループ内の前記画素それぞれに対して規定した前記目標輝度から選択された輝度を選択輝度とし、前記生成部は、前記先行画像信号に基づき設定された前記平均輝度又は前記選択輝度と、前記後続画像信号に基づき設定された前記平均輝度又は前記選択輝度と、に基づき、前記駆動輝度を決定し、前記先行画像信号に基づき設定された前記平均輝度又は前記選択輝度が、前記後続画像信号に基づき設定された前記平均輝度又は前記選択輝度よりも大きいならば、前記駆動輝度は、前記後続画像信号に基づき設定された前記平均輝度又は前記選択輝度よりも小さくなるように決定され、前記先行画像信号に基づき設定された前記平均輝度又は前記選択輝度が、前記後続画像信号に基づき設定された前記平均輝度又は前記選択輝度よりも小さいならば、前記駆動輝度は、前記後続画像信号に基づき設定された前記平均輝度又は前記選択輝度よりも大きくなるように決定されることが好ましい。
【００４４】
上記構成によれば、フレーム画像信号は、先行して表示される先行フレーム画像を表示するための先行画像信号と、先行フレーム画像の後に表示される後続フレーム画像を表示するための後続画像信号と、を含む。フレーム画像信号が画素グループ内の画素それぞれに対して規定した目標輝度が平均化された輝度を平均輝度とし、フレーム画像信号が画素グループ内の画素それぞれに対して規定した目標輝度から選択された輝度を選択輝度とする。生成部は、先行画像信号に基づき設定された平均輝度又は選択輝度と、後続画像信号に基づき設定された平均輝度又は選択輝度と、に基づき、駆動輝度を決定する。先行画像信号に基づき設定された平均輝度又は選択輝度が、後続画像信号に基づき設定された平均輝度又は選択輝度よりも大きいならば、駆動輝度は、後続画像信号に基づき設定された平均輝度又は選択輝度よりも小さくなるように決定される。また、先行画像信号に基づき設定された平均輝度又は選択輝度が、後続画像信号に基づき設定された平均輝度又は選択輝度よりも小さいならば、駆動輝度は、後続画像信号に基づき設定された平均輝度又は選択輝度よりも大きくなるように決定される。したがって、画素は、比較的素早く所望の輝度に近づくことができる。
【００４５】
上記構成において、前記駆動輝度は、前記液晶駆動部により走査動作が開始されるときに前記画素が達成している輝度に対する期待値に基づき、決定されることが好ましい。
【００４６】
上記構成によれば、駆動輝度は、液晶駆動部により走査動作が開始されるときに画素が達成している輝度に対する期待値に基づき、決定されるため、画素が達成している輝度が考慮された駆動輝度の設定がなされた走査動作によって、適切な液晶の駆動がなされる。
【００４７】
本発明の一の局面に係る映像視聴システムは、左眼で視聴されるように作成された左眼用フレーム画像と右眼で視聴されるように作成された右眼用フレーム画像とを表示し、立体的に知覚される画像を提供する表示装置と、前記左眼用フレーム画像が視聴されるように前記左眼へ到達する光量を調整する左眼フィルタと、前記右眼用フレーム画像が視聴されるように前記右眼へ到達する光量を調整する右眼フィルタと、を含む眼鏡装置と、を備え、前記表示装置は、主走査方向および副走査方向にマトリックス状に整列した複数の画素を含む表示面を有し、左眼で視聴されるように作成された左眼用フレーム画像と右眼で視聴されるように作成された右眼用フレーム画像とを、時間的に交互に切り換えて、立体的に知覚される画像を前記表示面に表示する液晶パネルと、前記左眼用フレーム画像又は前記右眼用フレーム画像を表示するためのフレーム画像信号に基づき、該フレーム画像信号よりも低い解像度の画像を表し、前記表示面の全ての前記画素に書き込まれるデータを含む第１画像信号と、前記表示面の前記画素のうち一部の画素に書き込まれるデータを含み、前記一部の画素以外の残余画素に書き込まれるデータを含まない第２画像信号と、を生成する生成部と、前記第１画像信号を前記表示面に亘って走査する第１走査動作を実行した後、前記第２画像信号を前記表示面に亘って走査する第２走査動作を少なくとも１回実行し、前記液晶パネルを駆動する液晶駆動部と、を備え、前記第２走査動作では、前記残余画素については書き込み済みのデータが保持されることを特徴とする。
【００４８】
上記構成によれば、表示装置は、左眼で視聴されるように作成された左眼用フレーム画像と右眼で視聴されるように作成された右眼用フレーム画像とを表示する。眼鏡装置の左眼フィルタは、左眼用フレーム画像が視聴されるように左眼へ到達する光量を調整する。眼鏡装置の右眼フィルタは、右眼用フレーム画像が視聴されるように右眼へ到達する光量を調整する。液晶パネルは、左眼用フレーム画像と右眼用フレーム画像とを、時間的に交互に切り換えて表示面に表示する。したがって、視聴者は、表示装置が提供する画像を立体的に知覚することができる。
【００４９】
液晶パネルの表示面は、主走査方向および副走査方向にマトリックス状に整列した複数の画素を含む。生成部は、左眼用フレーム画像又は右眼用フレーム画像を表示するためのフレーム画像信号に基づき、フレーム画像信号よりも低い解像度の画像を表し、表示面の全ての画素に書き込まれるデータを含む第１画像信号と、表示面の画素のうち一部の画素に書き込まれるデータを含み、一部の画素以外の残余画素に書き込まれるデータを含まない第２画像信号と、を生成する。
【００５０】
液晶駆動部は、フレーム画像信号よりも低い解像度の画像を表し、表示面の全ての画素に書き込まれるデータを含む第１画像信号を表示面に亘って走査する第１走査動作を実行する。また、液晶駆動部は、第１走査動作を実行した後、表示面の画素のうち一部の画素に書き込まれるデータを含み、一部の画素以外の残余画素に書き込まれるデータを含まない第２画像信号を表示面に亘って走査する第２走査動作を少なくとも１回実行する。第２走査動作では、残余画素については書き込み済みのデータが保持される。
【００５１】
一般的に、副走査方向の輝度変動の周波数が低い画像領域におけるクロストークは、視聴者に知覚されやすく、副走査方向の輝度変動の周波数が高い画像領域におけるクロストークは、視聴者に知覚されにくい。ここで、第１走査動作における第１画像信号は、表示面の全ての画素に書き込まれるデータを含むが、フレーム画像信号よりも低い解像度の画像を表すため、第１走査動作を高速に実行できるので、表示面全体の画素の駆動が早期に行われる。また、第２走査動作における第２画像信号は、表示面の画素のうち一部の画素に書き込まれるデータを含み、一部の画素以外の残余画素に書き込まれるデータを含まず、第２走査動作では、残余画素については書き込み済みのデータが保持されるため、やはり第２走査動作を高速に実行することができる。したがって、副走査方向の輝度変動の周波数が低い画像領域の描画は、第１走査動作及び第２走査動作により早期に達成される。このため、視聴者は左眼用フレーム画像と右眼用フレーム画像との間のクロストークをほとんど知覚しない。
【発明の効果】
【００５２】
上述の如く、本発明に係る表示装置及び映像視聴システムは、先行フレーム画像と後続フレーム画像との間のクロストークを抑制することができる。
【図面の簡単な説明】
【００５３】
【図１】第１実施形態に係る映像視聴システム及び表示装置の構成を概略的に示すブロック図である。
【図２】図１に示される映像視聴システムを概略的に示す模式図である。
【図３】図１に示される表示装置の映像信号処理部が実行する選択処理の概念図である。
【図４】入力されるフレーム画像信号で規定される目標輝度に対し、第１走査動作及び第２走査動作で設定される目標輝度及び各走査動作後に液晶パネルに表示される輝度を表形式で概略的に示す図である。
【図５】液晶駆動部が行う走査動作を示す概略的なグラフである。
【図６】目標輝度を駆動輝度に設定した場合の画素の輝度の変化を表す概略的なタイムチャートである。
【図７】本実施形態に従う表示装置の映像信号処理部の機能構成を概略的に示すブロック図である。
【図８】等価処理として例示される選択処理を通じて設定される画素の輝度変化を示す図である。
【図９】出力部の処理を概略的に示す図である。
【図１０】映像信号処理部中の信号の出力図である。
【図１１】第１走査期間における映像信号処理部中の信号の出力を表す概略的なブロック図である。
【図１２】第２走査期間における映像信号処理部中の信号の出力を表す概略的なブロック図である。
【図１３】第１補正部が格納する第１補正テーブルの概念図である。
【図１４】第２補正部が格納する第２補正テーブルの概念図である。
【図１５】先行するＬフレーム画像信号が規定する目標輝度と後続のＲフレーム画像信号が規定する目標輝度との差異が与える画素の輝度変化に対する影響を概略的に示すグラフである。
【図１６】第１走査期間に出力される信号が含む輝度のデータを示す。
【図１７】第２走査期間に出力される信号が含む輝度のデータを示す。
【図１８】図１６及び図１７に関連して説明された信号処理に基づく画素の輝度の変化を表す概略的なタイムチャートである。
【図１９】比較例において、入力されるフレーム画像信号で規定される目標輝度に対し、第１及び第２走査動作で設定される目標輝度を表形式で概略的に示す図である。
【図２０】図１９に示される比較例において実行される走査動作を示す概略的なグラフである。
【図２１】第２実施形態において、入力されるフレーム画像信号で規定される目標輝度に対し、第１走査動作及び２回の第２走査動作で設定される目標輝度を表形式で概略的に示す図である。
【図２２】第２実施形態において液晶駆動部が行う走査動作を示す概略的なグラフである。
【図２３】第２実施形態において第２補正部が格納する第２補正テーブルの概念図である。
【図２４】画素の位置及び保持期間に起因する走査動作の差異を概略的に説明する模式図である。
【図２５】画素の位置が与える画素の輝度変化に対する影響を概略的に示すグラフである。
【図２６】第３実施形態において、入力されるフレーム画像信号で規定される目標輝度に対し、第１走査動作及び３回の第２走査動作で設定される目標輝度を表形式で概略的に示す図である。
【図２７】第３実施形態において液晶駆動部が行う走査動作を示す概略的なグラフである。
【図２８】第３実施形態において第２補正部２１８が格納する第２補正テーブルの概念図である。
【図２９】第４実施形態において、入力されるフレーム画像信号で規定される目標輝度に対し、第１、第２及び第３走査動作で設定される目標輝度を表形式で概略的に示す図である。
【図３０】第４実施形態において液晶駆動部が行う走査動作を示す概略的なグラフである。
【図３１】第５実施形態に係る表示装置の映像信号処理部が実行する平均化処理の概念図である。
【図３２】等価処理として例示される平均化処理を通じて設定される画素の輝度変化を示す図である。
【図３３】第５実施形態において、入力されるフレーム画像信号で規定される目標輝度に対し、第１、第２及び第３走査動作で設定される目標輝度を表形式で概略的に示す図である。
【図３４】第５実施形態の異なる形態において、入力されるフレーム画像信号で規定される目標輝度に対し、第１、第２及び第３走査動作で設定される目標輝度を表形式で概略的に示す図である。
【図３５】第１走査動作、第２走査動作及び第３走査動作によって得られる空間スペクトルを概略的に示すグラフである。
【図３６】第１走査動作、第２走査動作及び第３走査動作によって描かれるオブジェクトを例示する図である。
【図３７】従来の映像視聴システムの構成を概略的に示すブロック図である。
【図３８】従来の映像視聴システムの制御を例示する制御タイミングチャートである。
【図３９】従来の映像視聴システムの制御を例示する制御タイミングチャートである。
【発明を実施するための形態】
【００５４】
以下、本発明の一実施形態に係る表示装置及び映像視聴システムが図面を参照して説明される。尚、以下に説明される実施形態において、同様の構成要素に対して同様の符号が付されている。また、説明の明瞭化のため、必要に応じて、重複する説明は省略される。図面に示される構成、配置或いは形状並びに図面に関連する記載は、単に本実施形態の原理を容易に理解させることを目的とするものであり、本発明はこれらに何ら限定されるものではない。
【００５５】
＜第１実施形態＞
（映像視聴システムの構成）
図１は、第１実施形態に係る映像視聴システムの構成を概略的に示すブロック図である。図２は、図１に示される映像視聴システムを概略的に示す模式図である。図１及び図２を参照しつつ、映像視聴システムの概略的な構成が説明される。
【００５６】
映像視聴システム１００は、左眼で視聴されるように作成された左眼用フレーム画像（以下、Ｌフレーム画像と称される）と、右眼で視聴されるように作成された右眼用フレーム画像（以下、Ｒフレーム画像と称される）とを含むフレーム画像を表示する表示装置２００と、表示装置２００が表示するＬフレーム画像及びＲフレーム画像の視聴を補助する眼鏡装置３００とを備える。眼鏡装置３００は、視聴者が左眼でＬフレーム画像を視聴し、右眼でＲフレーム画像を視聴するように、表示装置２００によるＬフレーム画像及びＲフレーム画像の表示に同期した立体視補助動作を行う。この結果、視聴者は、眼鏡装置３００を通じて、表示装置２００が表示するフレーム画像（Ｌフレーム画像及びＲフレーム画像）を立体的に知覚する（視聴者は、Ｌフレーム画像及びＲフレーム画像中で表現されたオブジェクトを、Ｌフレーム画像及びＲフレーム画像が映し出される表示面に対して、飛び出たように或いは引っ込んだように知覚する）。
【００５７】
視力矯正用の眼鏡と同様の形状をなす眼鏡装置３００は、視聴者の左眼前に配設される左眼シャッタ３１１と、視聴者の右眼前に配設される右眼シャッタ３１２とを含む光学シャッタ部３１０を備える。左眼シャッタ３１１は、表示装置２００がＬフレーム画像を表示しているときに開き、表示装置２００がＲフレーム画像を表示しているときに閉じる。右眼シャッタ３１２は、表示装置２００がＬフレーム画像を表示しているときに閉じ、表示装置２００がＲフレーム画像を表示しているときに開く。表示装置２００がＬフレーム画像を表示しているときに、Ｌフレーム画像から視聴者の左眼へ透過する光路が開かれる一方で、Ｌフレーム画像から視聴者の右眼へ透過する光路が閉じられるので、視聴者は左眼のみでＬフレーム画像を視聴する。同様に、表示装置２００がＲフレーム画像を表示しているときに、Ｒフレーム画像から視聴者の右眼へ透過する光路が開かれる一方で、Ｒフレーム画像から視聴者の左眼へ透過する光路が閉じられるので、視聴者は右眼のみでＲフレーム画像を視聴する。本実施形態において、左眼シャッタ３１１は、左眼フィルタとして例示される。また、右眼シャッタ３１２は、右眼フィルタとして例示される。左眼フィルタ及び右眼フィルタとして、表示装置２００が表示する映像から視聴者の左眼へ到達する光の量（以下、左眼光量と称される）及び視聴者の右眼へ到達する光の量（以下、右眼光量と称される）を調整可能に形成された他の光学素子が用いられてもよい。例えば、左眼フィルタ及び右眼フィルタとして、視聴者の左眼及び右眼へ透過する光を偏光する偏光素子（例えば、液晶フィルタ）や光量を調整可能な他の光学素子が好適に用いられる。左眼フィルタは、Ｌフレーム画像の表示に同期して、左眼光量を増大させる一方で、Ｒフレーム画像の表示に同期して、左眼光量を低減させるように制御される。同様に、右眼フィルタは、Ｒフレーム画像の表示に同期して、右眼光量を増大させる一方で、Ｌフレーム画像の表示に同期して、右眼光量を低減させるように制御される。
【００５８】
表示装置２００は、映像信号処理部２１０、液晶駆動部２２０、表示部２３０、第１制御部２５０、第２制御部２４０を備える。
【００５９】
映像信号処理部２１０には、基本となる垂直同期周波数を有する映像信号（左眼用映像信号及び右眼用映像信号）が入力される。映像信号処理部２１０は、入力された左眼用映像信号（以下、Ｌ信号と称される）と右眼用映像信号（以下、Ｒ信号と称される）とを、基本となる垂直同期周波数のＫ倍（Ｋは自然数）の周波数で、交互に出力する。本実施形態では、入力された６０Ｈｚの映像信号が、１２０ＨｚのＬ信号及びＲ信号に変換される。変換を通じて得られたＬ信号及びＲ信号は、液晶駆動部２２０へ出力される。加えて、映像信号処理部２１０は、Ｌ信号及びＲ信号の出力に同期して、第１制御部２５０に制御信号を出力する。
【００６０】
表示部２３０は、バックライト２３２を備える。第１制御部２５０は、映像信号処理部２１０からの制御信号に基づき、表示部２３０のバックライト２３２を制御する。映像信号処理部２１０は、Ｌ信号及びＲ信号の出力に同期して、第２制御部２４０を制御するための制御信号を出力する。第２制御部２４０は、映像信号処理部２１０からの制御信号に基づき、光学シャッタ部３１０を制御する。第１制御部２５０及び／又は第２制御部２４０へ出力される制御信号は、映像信号処理部２１０による変換後のＬ信号及び／又はＲ信号自体であってもよい。代替的に、Ｌ信号及び／又はＲ信号の１２０Ｈｚの垂直同期信号であってもよい。
【００６１】
以下の説明において、Ｌ信号に含まれる一の垂直同期信号と、該一の垂直同期信号に続いて入力される後の垂直同期信号との間の映像情報を含む映像信号は、Ｌフレーム画像信号と称される。また、Ｒ信号に含まれる一の垂直同期信号と、該一の垂直同期信号に続いて入力される後の垂直同期信号との間の映像情報を含む映像信号は、以下の説明において、Ｒフレーム画像信号と称される。Ｌフレーム画像信号は、Ｌフレーム画像を表現するために用いられる。同様に、Ｒフレーム画像信号は、Ｒフレーム画像を表現するために用いられる。本実施形態において、Ｌフレーム画像信号及び／又はＲフレーム画像信号は、フレーム画像信号として例示される。
【００６２】
表示部２３０は、上述のバックライト２３２に加えて、液晶を用いてＬフレーム画像とＲフレーム画像とを時間的に交互に切り換えて表示する液晶パネル２３１を備える。液晶パネル２３１は、幅方向（主走査方向）および上下方向（副走査方向）にマトリックス状に整列された画素Ｐ（図３）を備える。バックライト２３２は、映像信号処理部２１０からの制御信号に基づき、液晶パネル２３１に光を照射する。液晶駆動部２２０は、主走査方向及び副走査方向にフレーム画像信号（Ｌフレーム画像信号又はＲフレーム画像信号）を走査し、液晶パネル２３１の画素に対応する液晶を駆動する。図２に示されるように、液晶パネル２３１の幅方向は、フレーム画像信号の主走査方向として例示される。液晶パネル２３１の上下方向は、フレーム画像信号の副走査方向として例示される。液晶駆動部２２０は、Ｌフレーム画像信号とＲフレーム画像信号とを交互に走査する。この結果、液晶パネル２３１にＬフレーム画像及びＲフレーム画像が時間的に交互に表示される。
【００６３】
映像信号処理部２１０は、１つのＬフレーム画像に対応して、第１画像信号と、第１画像信号に後続する第２画像信号とを生成して液晶駆動部２２０へ出力する。同様に、映像信号処理部２１０は、１つのＲフレーム画像に対応して、第１画像信号と、第１画像信号に後続する第２画像信号とを生成して液晶駆動部２２０へ出力する。第１画像信号は、映像信号処理部２１０に入力されたフレーム画像信号（Ｌフレーム画像信号及びＲフレーム画像信号）より低い解像度の画像を表し、液晶パネル２３１の表示面の全ての画素に書き込まれる輝度データ（つまり全ての画素を駆動する信号）を含む。第２画像信号は、液晶パネル２３１の表示面の画素のうち一部の画素に書き込まれる輝度データを含み、当該一部の画素以外の残余画素に書き込まれる輝度データを含まない。本実施形態において、フレーム画像信号に基づき、第１画像信号と第２画像信号とを生成する映像信号処理部２１０は、生成部として例示される。
【００６４】
第１画像信号及び第２画像信号は、液晶駆動部２２０にそれぞれ入力される。液晶駆動部２２０は、第１画像信号に基づき、液晶パネル２３１の表示面に亘って液晶を駆動させる第１走査動作と、第２画像信号に基づき、液晶パネル２３１の表示面に亘って液晶を駆動させる第２走査動作と、を実行する。尚、第２走査動作は、第１走査動作の後に実行される。液晶駆動部２２０により実行される第１走査動作では、第１画像信号に含まれる輝度データが液晶パネル２３１の表示面の全ての画素に書き込まれる。言い換えると、第１走査動作では、第１画像信号に含まれる輝度データに基づき、液晶パネル２３１の表示面の全ての画素に対応する液晶が駆動される。液晶駆動部２２０により実行される第２走査動作では、書き込まれる輝度データが第２画像信号に含まれている、液晶パネル２３１の表示面の一部の画素には、輝度データが書き込まれ、書き込まれる輝度データが第２画像信号に含まれていない当該一部の画素以外の残余画素には、輝度データが書き込まれず、残余画素については、書き込み済みの輝度データが保持される。言い換えると、第２走査動作では、第２画像信号に含まれる輝度データに基づき、液晶パネル２３１の表示面の一部の画素に対応する液晶が駆動され、一部の画素以外の残余画素に対応する液晶について新たに駆動されずに、前回の走査動作（例えば第１走査動作）で駆動された状態が保持される。
【００６５】
上述の如く、第１画像信号は、フレーム画像信号より低い解像度の画像を表すので、液晶駆動部２２０は、フレーム画像信号に基づき液晶パネル２３１の表示面に亘って液晶を駆動させる走査動作よりも、第１走査動作を短期間で実行することができる。この結果、第１走査動作が実行された後であっても、左眼シャッタ３１１が開く前又は右眼シャッタ３１２が閉じる前に実行される第２走査動作のための十分に長い時間が確保されることとなる。また、第２画像信号は、液晶パネル２３１の表示面の画素のうち一部の画素に書き込まれるデータを含み、当該一部の画素以外の残余画素に書き込まれるデータを含まないため、同様に、フレーム画像信号に基づき液晶パネル２３１の表示面に亘って液晶を駆動させる走査動作よりも、第２走査動作を短期間で実行することができる。
【００６６】
液晶駆動部２２０は、第１画像信号及び第２画像信号に含まれる垂直同期信号及び水平同期信号にしたがって、第１画像信号及び第２画像信号を、液晶パネル２３１が表示可能な形式に変換する。液晶駆動部２２０は、液晶パネル２３１上のフレーム画像の表示ごとに変換された第１画像信号及び第２画像信号のフレーム画像信号を用いて、第１走査動作と第２走査動作とをそれぞれ実行する。
【００６７】
上述の液晶駆動部２２０による液晶の駆動によって、液晶パネル２３１は、入力された第１画像信号と第２画像信号とに応じて、背面から入射する光を変調する。この結果、液晶パネル２３１は、左眼で視聴されるように作成されたＬフレーム画像と、右眼で視聴されるように作成されたＲフレーム画像とを交互に表示する。液晶パネル２３１には、例えば、ＩＰＳ（In Plane Switching）方式や、ＶＡ（Vertical Alignment）方式やＴＮ（Twisted Nematic）方式といった様々な駆動方式が好適に適用される。
【００６８】
バックライト２３２は、液晶パネル２３１の背面から液晶パネル２３１の表示面に向けて光を照射する。本実施形態において、バックライト２３２として、面発光するように二次元配列された複数の発光ダイオード（ＬＥＤ）（図示せず）が用いられている。代替的に、バックライト２３２として、面発光するように配列された複数の蛍光管が用いられてもよい。バックライト２３２として用いられる発光ダイオードや蛍光管は、液晶パネル２３１の縁部に配設され、面発光を生じさせてもよい（エッジタイプ）。
【００６９】
第１制御部２５０は、映像信号処理部２１０から出力された１２０Ｈｚの制御信号を基準に発光制御信号を出力する。バックライト２３２は、発光制御信号に基づき明滅可能である。
【００７０】
第２制御部２４０は、眼鏡装置３００の光学シャッタ部３１０を、Ｌフレーム画像及びＲフレーム画像の表示周期に合わせて制御する。第２制御部２４０は、左眼シャッタ３１１を制御するための左眼用のフィルタ制御部２４１（以下、Ｌフィルタ制御部２４１と称される）と、右眼シャッタ３１２を制御するための右眼用のフィルタ制御部２４２（以下、Ｒフィルタ制御部２４２と称される）とを備える。液晶パネル２３１がＬフレーム画像及びＲフレーム画像を、例えば、１２０Ｈｚで交互に表示するとき、Ｌフィルタ制御部２４１は、左眼シャッタ３１１が６０Ｈｚの周期で左眼光量を調整する（増減させる）ように眼鏡装置３００を制御する。同様に、Ｒフィルタ制御部２４２は、右眼シャッタ３１２が６０Ｈｚの周期で右眼光量を調整する（増減させる）ように眼鏡装置３００を制御する。
【００７１】
図２に示される如く、本実施形態において、表示装置２００は、Ｌフレーム画像の表示に同期する第１同期信号を送信する第１送信部２４３と、Ｒフレーム画像の表示に同期する第２同期信号を送信する第２送信部２４４とを備える。また、眼鏡装置３００は、左眼シャッタ３１１と右眼シャッタ３１２との間に配設される受信部３２０を備える。受信部３２０は、第１同期信号及び第２同期信号を受信する。第１同期信号の波形は、好ましくは、第２同期信号の波形と異なる。受信部３２０は、受信された同期信号の波形に基づき、第１同期信号と第２同期信号とを識別する。かくして、眼鏡装置３００は、第１同期信号に基づき、左眼シャッタ３１１を動作させる。また、眼鏡装置３００は、第２同期信号に基づき、右眼シャッタ３１２を動作させる。表示装置２００と眼鏡装置３００との間の同期信号の無線通信並びに眼鏡装置３００による同期信号（第１同期信号及び第２同期信号）の内部処理に対して、既知の他の通信技術並びに既知の他の信号処理技術が用いられてもよい。代替的に、表示装置２００と眼鏡装置３００との間の同期信号（第１同期信号及び第２同期信号）の通信が、有線式に行われてもよい。また、左眼用映像の表示に同期する第１同期信号を送信する第１送信部２４３と、右眼用映像の表示に同期する第２同期信号を送信する第２送信部２４４とを共通化して１つの送信部としてもよい。この場合、左眼用映像の表示及び右眼用映像の表示は、共通化された同期信号の立ち上がりに交互に同期されてもよい。
【００７２】
Ｌフィルタ制御部２４１及びＲフィルタ制御部２４２は、映像信号処理部２１０からの制御信号を基準とし、左眼シャッタ３１１による左眼光量の増減周期の位相及び右眼シャッタ３１２による右眼光量の増減周期の位相を決定する。Ｌフィルタ制御部２４１及びＲフィルタ制御部２４２は、決定された位相に従い、第１同期信号及び第２同期信号を出力する。左眼シャッタ３１１及び右眼シャッタ３１２それぞれは、第１同期信号及び第２同期信号に基づき、Ｌフレーム画像の表示及びＲフレーム画像の表示に同期して、左眼光量及び右眼光量を増減させる。
【００７３】
第２制御部２４０は、液晶パネル２３１の応答特性並びに表示されるＬフレーム画像とＲフレーム画像との間のクロストーク（相互干渉）を考慮して、左眼シャッタ３１１及び右眼シャッタ３１２それぞれが左眼光量及び右眼光量を増大させている期間（以下、光量増大期間と称される）の長さと、光量増大期間のタイミング（位相）を決定する。Ｌフィルタ制御部２４１は、左眼光量に対する光量増大期間の長さ及びタイミングを制御する。Ｒフィルタ制御部２４２は、右眼光量に対する光量増大期間の長さ及びタイミングを制御する。
【００７４】
映像信号処理部２１０の１２０Ｈｚの制御信号に基づき動作する第１制御部２５０は、左眼シャッタ３１１及び右眼シャッタ３１２による光量調整の動作に同期してバックライト２３２を発光させる発光制御信号を出力する。バックライト２３２は、発光制御信号に基づき、明滅することができる。尚、本実施形態において、バックライト２３２は、第１制御部２５０の制御下で、常時点灯している。したがって、視聴者がフレーム画像を視聴することができる視聴期間のタイミング及び長さは、眼鏡装置３００の光学シャッタ部３１０の動作によって定められる。
【００７５】
代替的に、第１制御部２５０は、第２制御部２４０によって調整される光量増大期間中の一部の期間或いは光量増大期間と略一致する期間において、バックライト２３２を点灯させ、他の期間においてバックライト２３２を消灯させてもよい。このような第１制御部２５０によるバックライト２３２の明滅制御下において、視聴者がフレーム画像を視聴することができる視聴期間のタイミング及び長さは、バックライト２３２の明滅動作によって定められる。
【００７６】
（基本的な走査動作）
図３は、液晶パネル２３１の一部を概略的に示す模式図である。図４は、入力されるフレーム画像信号で規定される目標輝度に対し、第１走査動作及び第２走査動作で設定される目標輝度及び各走査動作後に液晶パネルに表示される輝度を表形式で概略的に示す図である。図５は、液晶駆動部２２０が行う走査動作を示す概略的なグラフである。図５（ａ）は、第１画像信号に基づく第１走査動作を示す。図５（ｂ）は、第２画像信号に基づく第２走査動作を示す。図５は、ゲート線Ｌ１乃至Ｌ１２までの走査動作が示されている。図５（ａ）及び図５（ｂ）の横軸は、ゲート線Ｌ１乃至Ｌ１２までの走査動作を行っている時間軸である。図５（ａ）及び図５（ｂ）の縦軸は、液晶パネル２３１の副走査方向の位置を表す。図１、図３乃至図５を用いて、第１実施形態における基本的な走査動作が概略的に説明される。
【００７７】
図３に示されるように、液晶パネル２３１は、主走査方向に延びる複数のゲート線と、副走査方向に延びる複数のデータ線と、を含む。図３には、副走査方向に整列したゲート線Ｌ１乃至Ｌ１６及び主走査方向に整列したデータ線Ｍ１乃至Ｍ３２が示されている。各ゲート線Ｌ１乃至Ｌ１６と各データ線Ｍ１乃至Ｍ３２との交点には、画素Ｐ及び画素Ｐに対応する液晶（図示せず）がそれぞれ割り当てられる。各ゲート線Ｌ１乃至Ｌ１６と各データ線Ｍ１乃至Ｍ３２とに印加される電圧に応じて、液晶の駆動量が定められる。
【００７８】
図４に示されるように、ゲート線Ｌ１乃至Ｌ１２のデータ線Ｍにおける画素に対し、フレーム画像信号でそれぞれ目標輝度Ｉ１乃至Ｉ１２が規定されている。このとき、第１走査動作では、副走査方向に隣接して整列した２個の画素を含む画素グループが設定される。すなわち、例えばゲート線Ｌ１，Ｌ２に対応する画素を含む画素グループが設定され、例えばゲート線Ｌ１１，Ｌ１２に対応する画素を含む画素グループが設定される。
【００７９】
第１走査動作では、映像信号処理部２１０は、画素グループごとに、後述する選択処理によって選択された画素に対応する目標輝度（選択輝度）が、画素グループに含まれる画素の共通する駆動輝度（等価輝度）として設定されるように、第１画像信号を生成する。液晶駆動部２２０は、映像信号処理部２１０により生成された第１画像信号に基づき第１走査動作を実行し、画素グループに含まれる全ての画素（つまりデータ線Ｍ上の全ての画素）を駆動する。すなわち、例えばゲート線Ｌ１，Ｌ２に対応する画素は、それぞれ、目標輝度Ｉ１，Ｉ２から選択された選択輝度Ｉ１に基づき駆動される。言い換えると、例えばゲート線Ｌ１，Ｌ２に対応する画素のうちで選択されたゲート線Ｌ１に対応する画素の目標輝度Ｉ１が選択輝度Ｉ１として設定される。同様に、例えばゲート線Ｌ１１，Ｌ１２に対応する画素は、それぞれ、目標輝度Ｉ１１，Ｉ１２から選択された選択輝度Ｉ１１に基づき駆動される。言い換えると、例えばゲート線Ｌ１１，Ｌ１２に対応する画素のうちで選択されたゲート線Ｌ１１に対応する画素の目標輝度Ｉ１１が選択輝度Ｉ１１として設定される。ゲート線Ｌ１，Ｌ２及びデータ線Ｍに対応する画素には、選択輝度Ｉ１に対応する電圧が印加されて、当該画素に対応する液晶が駆動される。また、ゲート線Ｌ１１，Ｌ１２及びデータ線Ｍに対応する画素には、選択輝度Ｉ１１に対応する電圧が印加されて当該画素に対応する液晶が駆動される。
【００８０】
続く第２走査動作では、２個の画素を含む画素グループがさらに分割されて、１個の画素を含むサブグループが設定される。映像信号処理部２１０は、第１走査動作において選択されなかった画素（つまり本実施形態では選択輝度が目標輝度に一致しなかった画素）のみを含むサブグループの画素が駆動され、第１走査動作において選択された画素（つまり本実施形態では選択輝度が目標輝度に一致した画素）を含むサブグループの画素は駆動されずに、そのまま保持されるように、第２画像信号を生成する。この実施形態では、サブグループは画素を１個のみ含むため、映像信号処理部２１０は、第１走査動作において選択されなかった画素が駆動され、第１走査動作において選択された画素は駆動されずに、そのまま保持されるように、第２画像信号を生成する。そして、液晶駆動部２２０は、映像信号処理部２１０により生成された第２画像信号に基づき第２走査動作を実行し、一部のサブグループに含まれる画素（つまりデータ線Ｍ上の一部の画素）を駆動する。本実施形態において、駆動される一部のサブグループが駆動サブグループとして例示される。
【００８１】
すなわち、例えばゲート線Ｌ１に対応する画素は、第１走査動作において選択されているため、第２走査動作では、駆動されないように第２画像信号が生成され、第１走査動作の状態で保持される。一方、ゲート線Ｌ２に対応する画素は、第１走査動作において選択されていないため、フレーム画像信号の目標輝度Ｉ２に基づき駆動されるように第２画像信号が生成される。つまり、第２走査動作では、ゲート線Ｌ２及びデータ線Ｍに対応する画素には、目標輝度Ｉ２に対応する電圧が印加されて、当該画素に対応する液晶が駆動される。
【００８２】
図４に示されるように、第１画像信号に基づく第１走査動作の実行後には、液晶パネル２３１には、画素グループごとに、それぞれフレーム画像信号の目標輝度Ｉ１，Ｉ３，・・・，Ｉ１１に基づく画像が表示される。また、第２画像信号に基づく第２走査動作の実行後には、液晶パネル２３１には、画素ごとに、フレーム画像信号の目標輝度Ｉ１，Ｉ２，・・・，Ｉ１２に基づく画像、つまり入力されたフレーム画像信号に基づく画像が表示される。
【００８３】
第１画像信号は、上述の如く、副走査方向に隣接して整列した２個の画素の輝度を等しくする。本実施形態において、ゲート線Ｌ２ｔ−１，Ｌ２ｔ上の画素の輝度は等しく設定される（ｔは、自然数）。したがって、液晶駆動部２２０は、ゲート線Ｌ２ｔ−１，Ｌ２ｔ上に同時に第１画像信号を書き込むことができる。この結果、ゲート線Ｌ２ｔ−１，Ｌ２ｔ上の画素に対応する液晶は、同時に駆動される。
【００８４】
第２画像信号は、上述の如く、ゲート線Ｌ２ｔ−１上の画素は駆動されずに保持され、ゲート線Ｌ２ｔ上の画素が駆動されるように、生成される。したがって、液晶駆動部２２０は、ゲート線Ｌ２，Ｌ４，・・・の順で、順次書き込みを行う。
【００８５】
図５に示されるように、本実施形態において、第１走査動作を行う液晶駆動部２２０は、第１画像信号により、２つのゲート線Ｌ２ｔ−１，Ｌ２ｔの組に同時に信号の書き込みを行うので、ゲート線Ｌ１２までの書き込みを完了するまでの第１走査動作の期間Ｔ１は、ゲート線Ｌ１乃至Ｌ１２に順次書き込みを行う場合に比べて半分となる。同様に、第２走査動作を行う液晶駆動部２２０は、第２画像信号により、ゲート線Ｌ２ｔにのみ画像信号の書き込みを行い、ゲート線Ｌ２ｔ−１には画像信号の書き込みを行わず、ゲート線Ｌ２ｔ−１に対応する画素は、第１走査動作の状態が保持されるので、ゲート線Ｌ１２までの書き込みを完了するまでの第２走査動作の期間は、第１走査動作の期間Ｔ１に等しくなる。比較的短期間で行われる第１走査動作及び第２走査動作によって、液晶パネル２３１の液晶の駆動が表示面全体に亘って短期間で実行されるので、表示面下部領域におけるクロストークが低減される。
【００８６】
図６は、第１実施形態における、基本的な走査動作による画素の輝度の変化を表す概略的なタイムチャートである。図１、図５及び図６を用いて、画素の輝度変化が説明される。
【００８７】
図６のセクション（Ａ）には、Ｘ番目のＬフレーム画像の表示のための左眼期間、Ｘ番目のＲフレーム画像の表示のための右眼期間及び（Ｘ＋１）番目のＬフレーム画像の表示のための左眼期間が示されている。以下の説明において、右眼期間における画素の輝度変化が説明される。
【００８８】
図６のセクション（Ｂ）には、第１走査動作及び第２走査動作が示される。右眼期間の第１走査期間において、液晶駆動部２２０は、第１画像信号を用いて、第１走査動作を実行する。図５に関連して説明された如く、液晶駆動部２２０は、１つの奇数番号のゲート線に対応する画素と、１つの偶数番号のゲート線に対応する画素の液晶と、を１つの組として、同時に駆動する。この結果、第１画像信号は、ゲート線（Ｌ１，Ｌ２）の組、ゲート線（Ｌ３，Ｌ４）の組、・・・・、ゲート線（Ｌ２ｔ−１，Ｌ２ｔ）の組に順次書き込まれる。右眼期間の第２走査期間において、液晶駆動部２２０は、第２画像信号を用いて、第２走査動作を実行する。図５に関連して説明された如く、液晶駆動部２２０は、ゲート線Ｌ２，Ｌ４，・・・，Ｌ２ｔに対応する画素に順次、第２画像信号の輝度データを書き込む。図５に関連して説明された如く、第１走査期間と第２走査期間とは同じ長さとなっている。
【００８９】
図６のセクション（Ｃ）は、光学シャッタ部３１０の開閉動作を示す。左眼シャッタ３１１は、第２走査動作の完了後、且つ、右眼期間が開始される前までの期間において開く。また、右眼シャッタ３１２は、第２走査動作の完了後、且つ、左眼期間が開始される前までの期間において開く。
【００９０】
図６のセクション（Ｄ）は、ゲート線Ｌ１とデータ線Ｍとの交点に位置する画素の輝度の変化を表す。図６のセクション（Ｅ）は、ゲート線Ｌ２とデータ線Ｍとの交点に位置する画素の輝度の変化を表す。
【００９１】
ここで、直前の左眼期間においてＬフレーム画像の表示に用いられたＬフレーム画像信号は、ゲート線Ｌ１に対応する画素に対して「１００」の目標輝度を規定し、ゲート線Ｌ２に対応する画素に対して「９０」の目標輝度を規定しているとする。したがって、図６に示されるように、右眼期間の第１走査動作では、セクション（Ｄ）に示される画素の輝度は、「１００」から変動を開始し、セクション（Ｅ）に示される画素の輝度は、「９０」から変動を開始する。また、右眼期間においてＲフレーム画像の表示に用いられるＲフレーム画像信号は、ゲート線Ｌ１に対応する画素に対して「５０」の目標輝度を規定し、ゲート線Ｌ２に対応する画素に対して「１０」の目標輝度を規定しているとする。つまり、図４において、Ｉ１＝５０、Ｉ２＝１０であるとする。
【００９２】
セクション（Ｄ）に示される画素の輝度は、第１走査動作が開始されると、「１００」の輝度から「５０」の目標輝度（駆動輝度）に向けて変動を開始し、第２走査動作が開始される直前には、例えば「６５」の輝度に到達する。セクション（Ｄ）に示される画素は、第２走査動作では駆動されずに保持されるため、第１走査動作における輝度変動が継続される。
【００９３】
セクション（Ｅ）に示される画素の輝度は、第１走査動作が開始されると、「９０」の輝度から「５０」の目標輝度（駆動輝度）に向けて変動を開始し、第２走査動作が開始される直前には、例えば「５５」の輝度に到達する。
【００９４】
第２走査動作が開始されると、セクション（Ｅ）に示される画素の輝度は、「５５」の輝度から「１０」の目標輝度（駆動輝度）に向けて変動を開始し、「１０」の目標輝度に近づく。
【００９５】
（異なる走査動作）
図１、図３乃至図６を用いて説明された如く、第１実施形態では、目標輝度を駆動輝度に設定した基本的な走査動作が実行される。代替的に、第１実施形態では、目標輝度と異なる輝度を駆動輝度に設定した走査動作を実行してもよい。以下、第１実施形態において上述の基本的な走査動作と異なる走査動作を実行する場合が説明される。
【００９６】
（映像信号処理部）
図７は、本実施形態に従う表示装置２００の映像信号処理部２１０の機能構成を概略的に示すブロック図である。図１及び図７を用いて、映像信号処理部２１０が説明される。
【００９７】
映像信号処理部２１０は、第１等価部２１１、第１選択部２１２、第１遅延部２１３、第２等価部２１４、第２遅延部２１５、第３遅延部２１６、第１補正部２１７、第２補正部２１８、第２選択部２１９及び出力部２２１を備える。
【００９８】
第１等価部２１１及び第２等価部２１４は、後述される等価処理を行う。液晶駆動部２２０は、等価処理を通じて得られた第１画像信号を、上述の如く比較的短期間で液晶パネル２３１の表示面に亘って走査する。第１遅延部２１３，第２遅延部２１５及び第３遅延部２１６は、入力された信号をそれぞれ遅延させて出力する。第１補正部２１７及び第２補正部２１８は、後述されるオーバードライブ処理を行う。オーバードライブ処理によって、画素の輝度は比較的短期間で変化する。第１選択部２１２及び第２選択部２１９は、複数の入力信号を走査期間（第１画像信号が走査される第１走査期間，第２画像信号が走査される第２走査期間）に合わせて選択的に出力する。出力部２２１は、第１画像信号及び第２画像信号を液晶駆動部２２０に出力する。
【００９９】
（等価処理（選択処理））
図８は、等価処理として例示される選択処理を通じて設定される画素の輝度変化を示す図である。図１、図３、図７及び図８を用いて、選択処理が説明される。
【０１００】
図８（ａ）、７（ｂ）には、ゲート線Ｌ１乃至Ｌ４とデータ線Ｍ１及びＭ２とのそれぞれの交点に対応する画素Ｐ１乃至Ｐ８が示されている。図７に示される如く、第１等価部２１１にはフレーム画像信号（Ｌフレーム画像信号及びＲフレーム画像信号）が直接的に入力される。また、フレーム画像信号は、第１遅延部２１３を介して、第２等価部２１４に入力される。第１等価部２１１及び第２等価部２１４は、副走査方向に隣接して整列した複数の画素を含む画素グループ（図８（ａ）、７（ｂ）中、点線で囲まれる画素の組）を設定する。図８（ａ）には、データ線Ｍ１上に隣接して整列した画素Ｐ１，Ｐ２の組を含む画素グループＧ１、データ線Ｍ１上に隣接して整列した画素Ｐ３，Ｐ４の組を含む画素グループＧ２、データ線Ｍ２上に隣接して整列した画素Ｐ５，Ｐ６の組を含む画素グループＧ３及びデータ線Ｍ２上に隣接して整列した画素Ｐ７，Ｐ８の組を含む画素グループＧ４が示されている。図８（ｂ）には、データ線Ｍ１上に隣接して整列した画素Ｐ１，Ｐ２，Ｐ３，Ｐ４の組を含む画素グループＧ５、画素Ｐ１，Ｐ２の組を含むサブグループＧ５１、及び画素Ｐ３，Ｐ４の組を含むサブグループＧ５２が示され、データ線Ｍ２上に隣接して整列した画素Ｐ５，Ｐ６，Ｐ７，Ｐ８の組を含む画素グループＧ６、画素Ｐ５，Ｐ６の組を含むサブグループＧ６１、及び画素Ｐ７，Ｐ８の組を含むサブグループＧ６２が示されている。
【０１０１】
本実施形態では、図８（ａ）に示されるように、副走査方向に隣接して整列した２個の画素からなる組に対して、上述の選択処理がなされる。代替的に、副走査方向に隣接して整列した２を超える数（例えば図８（ｂ）に示される４個）の画素からなる組に対して、上述の選択処理がなされてもよい。この実施形態については後述される。
【０１０２】
図８（ａ）中の各画素内に示された数値は、画素に対して割り当てられた輝度を示す。フレーム画像信号は、例えば、画素Ｐ１，Ｐ３に対して、「５０」の輝度を規定し、画素Ｐ２，Ｐ４に対して、「１０」の輝度を規定し、画素Ｐ５，Ｐ７に対して、「８０」の輝度を規定し、画素Ｐ６，Ｐ８に対して、「６０」の輝度を規定している。第１等価部２１１及び第２等価部２１４は、各画素グループＧ１，Ｇ２，Ｇ３，Ｇ４内で輝度を選択する。第１等価部２１１及び第２等価部２１４は、奇数番号のゲート線上の画素Ｐ１，Ｐ３，Ｐ５，Ｐ７に対して規定された輝度を選択し、画素グループＧ１，Ｇ２，Ｇ３，Ｇ４内の他の画素Ｐ２，Ｐ４，Ｐ６，Ｐ８にそれぞれ割り当てる。言い換えると、第１等価部２１１及び第２等価部２１４は、例えば画素グループＧ１に含まれる複数の画素Ｐ１，Ｐ２のうちで画素Ｐ１を選択し、その選択された画素Ｐ１に対してフレーム画像信号が規定した輝度を選択する。したがって、画素グループＧ１内の画素Ｐ１，Ｐ２並びに画素グループＧ２内の画素Ｐ３，Ｐ４の輝度は、「５０」に設定される。また、画素グループＧ３内の画素Ｐ５，Ｐ６並びに画素グループＧ４内の画素Ｐ７，Ｐ８の輝度は、「８０」に設定される。
【０１０３】
代替的に、第１等価部２１１及び第２等価部２１４は、偶数番号のゲート線上の画素Ｐ２，Ｐ４，Ｐ６，Ｐ８に対して規定された輝度を選択し、画素グループＧ１，Ｇ２，Ｇ３，Ｇ４内の他の画素Ｐ１，Ｐ３，Ｐ５，Ｐ７にそれぞれ割り当てるようにしてもよい。また、代替的に、第１等価部２１１及び第２等価部２１４は、フレーム画像信号が画素グループ内の画素に対して定めた輝度のうち、大きい方或いは小さい方を選択してもよい。更に代替的に、第１等価部２１１及び第２等価部２１４は、他の適切な基準に基づき、第１画像信号を生成するための輝度を選択してもよい。図３に示される如く、上述の選択処理は、ゲート線Ｌ１乃至Ｌ１６と各データ線Ｍ１乃至Ｍ３２との交点に対応する全ての画素Ｐに対して実行される。本実施形態において、フレーム画像信号が画素Ｐそれぞれに対して規定する輝度は、目標輝度として例示される。本実施形態において、第１等価部２１１及び第２等価部２１４によって選択された輝度は、選択輝度として例示される。本実施形態において、例えば画素グループＧ１に含まれる複数の画素Ｐ１，Ｐ２のうちで選択された画素Ｐ１は、特定画素として例示される。
【０１０４】
以下、第１画像信号を走査するための第１走査動作及び第２画像信号を走査するための第２走査動作が更に説明される。
【０１０５】
第１等価部２１１及び第２等価部２１４は、フレーム画像信号に対して、上述の選択処理を行い、選択信号を出力する。
【０１０６】
図７に示される如く、選択信号は、第１選択部２１２，第１補正部２１７及び第２補正部２１８へ入力される。第１補正部２１７は、選択輝度に対する補正値を規定する補正信号を第２選択部２１９に出力する。第２補正部２１８は、フレーム画像信号が規定する目標輝度に対する補正値を規定する補正信号を第２選択部２１９に出力する。
【０１０７】
図９は、出力部２２１の処理を概略的に示す図である。図７及び図９を用いて、出力部２２１の処理が説明される。図９は、図８に関連して説明された選択処理によって生成された選択信号に対する出力部２２１の処理を示す。
【０１０８】
図９（ａ）は、第１画像信号を出力する出力部２２１の処理を示す。図９（ｂ）は、第２画像信号を出力する出力部２２１の処理を示す。
【０１０９】
第１画像信号の走査が行われる第１走査期間において、第１選択部２１２は、選択信号を出力部２２１に出力し、第２選択部２１２は、第１補正部２１７によって生成された補正信号を出力部２２１に出力する。出力部２２１は、選択信号が規定する選択輝度と、第１補正部２１７によって生成された補正信号が規定する補正値とを加算する。
【０１１０】
図９（ａ）に示される如く、第１補正部２１７によって生成された補正信号は、画素グループＧ１，Ｇ２，Ｇ３，Ｇ４内の画素に対して、等しい補正値を規定する。図９（ａ）において、画素グループＧ１内の画素Ｐ１，Ｐ２に対して、「Ｃ１」の補正値が規定されている。画素グループＧ２内の画素Ｐ３，Ｐ４に対して、「Ｃ２」の補正値が規定されている。画素グループＧ３内の画素Ｐ５，Ｐ６に対して、「Ｃ３」の補正値が規定されている。画素グループＧ４内の画素Ｐ７，Ｐ８に対して、「Ｃ４」の補正値が規定されている。かくして、出力部２２１は、画素グループＧ１，Ｇ２，Ｇ３，Ｇ４内の画素に共通する等価輝度を規定する第１画像信号を生成する。本実施形態において、選択輝度と第１補正部２１７によって生成された補正信号が規定する補正値との加算によって規定される輝度は等価輝度として例示される。
【０１１１】
図７に示される如く、フレーム画像信号は、第１選択部２１２及び第２補正部２１８に入力される。第２画像信号の走査が行われる第２走査期間において、第１選択部２１２は、フレーム画像信号を出力部２２１に出力する。第２補正部２１８は、画素ごとに個別に補正値を設定する。図９（ｂ）に示される如く、画素Ｐ１乃至Ｐ８に対して、補正値Ｄ１乃至Ｄ８がそれぞれ規定されている。補正値Ｄ１乃至Ｄ８は、それぞれ異なる輝度値であってもよい。第２補正部２１８は、補正値Ｄ１乃至Ｄ８を規定する補正信号を第２選択部２１９に出力する。
【０１１２】
第２選択部２１９は、第２補正部２１８によって生成された補正信号を出力部２２１に出力する。出力部２２１は、フレーム画像信号が規定する目標輝度と、第１補正部２１７によって生成された補正信号が規定する補正値とを加算する。したがって、第１画像信号と異なり、第２画像信号は、画素ごとに異なる輝度を規定してもよい。但し、図３乃至図５に関連して説明された如く、第２走査期間において、出力部２２１は、ゲート線Ｌ１，Ｌ３，・・・上の画素に対する信号を出力せず、ゲート線Ｌ２，Ｌ４，・・・上の画素に対する信号のみを出力する。図９（ａ）及び図９（ｂ）それぞれに示される画素Ｐ１乃至Ｐ８中に示された輝度値は、第１走査期間及び第２走査期間における駆動輝度として例示される。
【０１１３】
（信号出力）
図１０は、映像信号処理部２１０中の信号の出力図である。図１１は、第１走査期間における映像信号処理部２１０中の信号の出力を表す概略的なブロック図である。図１２は、第２走査期間における映像信号処理部２１０中の信号の出力を表す概略的なブロック図である。図３、図８乃至図１２を用いて、映像信号処理部２１０中の信号の出力が説明される。
【０１１４】
図１０には、Ｘ番目のＬフレーム画像を表示するための左眼期間、Ｘ番目のＲフレーム画像を表示するための右眼期間、（Ｘ＋１）番目のＬフレーム画像を表示するための左眼期間及び（Ｘ＋１）番目のＲフレーム画像を表示するための右眼期間が示されている。以下の説明において、Ｘ番目のＲフレーム画像を表示するための右眼期間における信号の出力が説明される。尚、他の期間においても、Ｘ番目のＲフレーム画像を表示するための右眼期間における信号の出力の原理は同様に適用される。以下の説明において、Ｘ番目のＬフレーム画像は、先行フレーム画像として例示される。また、Ｘ番目のＲフレーム画像は、後続フレーム画像として例示される。
【０１１５】
図１１に示される如く、Ｘ番目のＲフレーム画像信号ＳＲｘ（２）が映像信号処理部２１０に入力されると、第１走査期間において、第１等価部２１１は、図３及び図８に関連して説明された選択処理を実行し、選択信号ＳＲｘ（１）を生成並びに出力する。選択信号ＳＲｘ（１）は、第１選択部２１２、第１補正部２１７及び第２遅延部２１５へ入力される。図１０乃至図１２に関連する説明において、第１等価部２１１及び第２等価部２１４は、図３及び図８に関連して説明された選択処理を行う。
【０１１６】
第１遅延部２１３は、直前のＸ番目のＬフレーム画像を表示するための左眼期間において、Ｘ番目のＬフレーム画像信号ＳＬｘ（２）を取得している。第１遅延部２１３は、Ｌフレーム画像信号ＳＬｘ（２）を遅延させ、後続のＸ番目のＲフレーム画像を表示するための右眼期間の第１走査期間に第２等価部２１４及び第２補正部２１８へ出力する。本実施形態において、Ｘ番目のＬフレーム画像を表示するためのＬフレーム画像信号ＳＬｘ（２）は、先行フレーム画像信号として例示される。Ｘ番目のＲフレーム画像を表示するためのＲフレーム画像信号ＳＲｘ（２）は、後続フレーム画像信号として例示される。
【０１１７】
第２等価部２１４は、図３及び図８に関連して説明された選択処理を実行し、選択信号ＳＬｘ（１）を生成並びに出力する。選択信号ＳＬｘ（１）は、第１補正部２１７及び第３遅延部２１６へ入力される。
【０１１８】
第１補正部２１７は、選択信号ＳＲｘ（１）及び選択信号ＳＬｘ（１）に基づき、第１補正信号ＣＲｘ（１）を生成する。図９に関連して説明された如く、第１補正信号ＣＲｘ（１）が画素グループ内の画素に対して規定する補正値は等しい。補正信号ＣＲｘ（１）は、第２選択部２１９へ出力される。
【０１１９】
第１選択部２１２及び第２選択部２１９は、同期して、選択信号ＳＲｘ（１）及び第１補正信号ＣＲｘ（１）をそれぞれ出力部２２１へ出力する。図９に関連して説明された如く、出力部２２１は、選択信号ＳＲｘ（１）が規定する選択輝度と第１補正信号ＣＲｘ（１）が規定する補正値とを加算し、第１画像信号ＩＲｘ（１）を生成する。第１画像信号ＩＲｘ（１）は、液晶駆動部２２０へ出力される。
【０１２０】
図１２に示される如く、Ｘ番目のＲフレーム画像信号ＳＲｘ（２）は、第１等価部２１１だけでなく、第１選択部２１２へ入力される。第２走査期間において、第１選択部２１２は、Ｒフレーム画像信号ＳＲｘ（２）を出力する。
【０１２１】
Ｘ番目のＲフレーム画像信号ＳＲｘ（２）は、更に、第２補正部２１８に入力される。第２遅延部２１５は、第１走査期間において取得された選択信号ＳＲｘ（１）を遅延させ、第２走査期間において、遅延された選択信号ＳＲｘ（１ｄ）として、第２補正部２１８へ出力する。第３遅延部２１６は、第１走査期間において取得された選択信号ＳＬｘ（１）を遅延させ、第２走査期間において、遅延された選択信号ＳＬｘ（１ｄ）として、第２補正部２１８へ出力する。第２補正部２１８には、第１遅延部２１３からＬフレーム画像信号ＳＬｘ（２）が更に入力される。第２補正部２１８は、Ｒフレーム画像信号ＳＲｘ（２），Ｌフレーム画像信号ＳＬｘ（２），選択信号ＳＲｘ（１ｄ）及び選択信号ＳＬｘ（１ｄ）を用いて、図９に関連して説明された補正値を決定し、第２補正信号ＣＲｘ（２）を第２選択部２１９に出力する。
【０１２２】
第１選択部２１２及び第２選択部２１９は、同期して、Ｒフレーム画像信号ＳＲｘ（２）及び第２補正信号ＣＲｘ（２）をそれぞれ出力部２２１へ出力する。図９に関連して説明された如く、出力部２２１は、Ｒフレーム画像信号ＳＲｘ（２）が規定する目標輝度と第２補正信号ＣＲｘ（２）が規定する補正値とを加算し、第２画像信号ＩＲｘ（２）を生成する。第２画像信号ＩＲｘ（２）は、液晶駆動部２２０へ出力される。本実施形態において、第１画像信号ＩＲｘ（１）及び第２画像信号ＩＲｘ（２）に含まれる各画素に対する信号は、書き込みデータとして例示される。また、図３乃至図５に関連して説明された如く、第２画像信号ＩＲｘ（２）は、ゲート線Ｌ１，Ｌ３，・・・上の画素に書き込む輝度データを含まず、ゲート線Ｌ２，Ｌ４，・・・上の画素に書き込む輝度データを含む。
【０１２３】
（オーバードライブ処理）
第１補正部２１７及び第２補正部２１８による補正値の算出並びに出力部２２１による加算処理は、オーバードライブ処理として例示される。図１１に関連して説明された如く、第１補正部２１７は、第１画像信号ＩＲｘ（１）の走査が行われる第１走査期間におけるオーバードライブ処理に寄与する。図１２に関連して説明された如く、第２補正部２１８は、第２画像信号ＩＲｘ（２）の走査が行われる第２走査期間におけるオーバードライブ処理に寄与する。
【０１２４】
（第１補正部）
図１３は、第１補正部２１７が格納する第１補正テーブルの概念図である。図１、図８、図９、図１１及び図１３を用いて、第１補正部２１７が説明される。
【０１２５】
第１補正部２１７は、第１補正信号を生成するための第１補正テーブル２２２を格納する。第１補正部２１７には、上述の如く、第１等価部２１１からの選択信号ＳＲｘ（１）及び第２等価部２１４からの選択信号ＳＬｘ（１）が入力される。上述の如く、第２等価部２１４は、第１遅延部２１３によって遅延されたフレーム画像信号に基づき、選択信号ＳＬｘ（１）を出力する。図１３に示される第１補正テーブル２２２中の第１等価部２１１からの入力に対応する座標軸は、第１等価部２１１からの選択信号ＳＲｘ（１）が規定する現行選択輝度を示す。第１補正テーブル２２２中の第２等価部２１４からの入力に対応する座標軸は、第２等価部２１４からの選択信号ＳＬｘ（１）が規定する先行選択輝度を示す。
【０１２６】
第１補正部２１７は、第１等価部２１１からの選択信号ＳＲｘ（１）に規定される現行選択輝度と、第２等価部２１４からの選択信号に規定される先行選択輝度ＳＬｘ（１）と、に基づき、画素Ｐ１乃至Ｐ８それぞれに対して、第１補正値を決定し、第１補正値の情報を含む第１補正信号ＣＲｘ（１）を第２選択部２１９へ出力する。尚、図９に関連して説明された如く、第１補正部２１７は、画素グループＧ１，Ｇ２，Ｇ３，Ｇ４内の画素に対して、等しい値の第１補正値を規定する。第１補正値の絶対値は、例えば、現行選択輝度と先行選択輝度との差が大きいほど、大きくなるように設定される。また、現行選択輝度が先行選択輝度よりも大きいならば、第１補正値は、正の値に設定される。現行選択輝度が先行選択輝度より小さいならば、第１補正値は負の値に設定される。後述されるように、選択された第１補正値に応じて、第１走査期間中に達成される画素Ｐ１乃至Ｐ８の輝度が変動する。
【０１２７】
図１１に示される如く、第１走査期間において、出力部２２１には、第１等価部２１１によって生成された選択信号ＳＲｘ（１）及び第１補正部２１７によって生成された第１補正信号ＣＲｘ（１）が入力される。
【０１２８】
出力部２２１は、第１等価部２１１によって生成された選択信号ＳＲｘ（１）が規定する現行選択輝度と、第１補正信号ＣＲｘ（１）が規定する第１補正値と、を加算する。上述の如く、現行選択輝度が先行選択輝度よりも大きいならば、第１補正値は、正の値に設定されるので、出力部２２１によって算出された加算値は、現行選択輝度よりも大きくなる。現行選択輝度が先行選択輝度よりも小さいならば、第１補正値は、負の値に設定されるので、出力部２２１によって算出された加算値は、現行選択輝度よりも小さくなる。上述の如く、第１等価部２１１は、画素グループＧ１，Ｇ２，Ｇ３，Ｇ４内の画素に対して、等しい値の現行選択輝度を規定している。また、第１補正部２１７は、画素グループＧ１，Ｇ２，Ｇ３，Ｇ４内の画素に対して、等しい値の第１補正値を規定している。したがって、画素グループＧ１，Ｇ２，Ｇ３，Ｇ４内の現行選択輝度と第１補正値との加算値は等しい値となる。第１走査動作が行われる第１走査期間において、出力部２２１は、算出された加算値の情報を含む第１画像信号ＩＲｘ（１）を液晶駆動部２２０へ出力する。本実施形態において、現行選択輝度と第１補正値との加算値は、第１走査期間における駆動輝度として例示される。
【０１２９】
液晶駆動部２２０は、第１画像信号ＩＲｘ（１）に基づき、液晶パネル２３１の液晶を駆動する。上述の如く、第１画像信号ＩＲｘ（１）が画素グループＧ１，Ｇ２，Ｇ３，Ｇ４内の画素に対して規定する駆動輝度は等しい値である。第１走査期間において、液晶駆動部２２０は、画素グループＧ１内で等しく設定された駆動輝度に向けて、画素Ｐ１，Ｐ２それぞれに対応する液晶を同時に駆動する。また、液晶駆動部２２０は、画素グループＧ３内で等しく設定された駆動輝度に向けて、画素Ｐ５，Ｐ６それぞれに対応する液晶を同時に駆動する。ゲート線Ｌ１，Ｌ２に対応する水平同期信号に基づき、ゲート線Ｌ１，Ｌ２に対応する画素に対する液晶の駆動が開始される。この結果、液晶駆動部２２０は、画素グループＧ２内で等しく設定された駆動輝度に向けて、画素Ｐ３，Ｐ４それぞれに対応する液晶を同時に駆動する。また、液晶駆動部２２０は、画素グループＧ４内で等しく設定された駆動輝度に向けて、画素Ｐ７，Ｐ８それぞれに対応する液晶を同時に駆動する。本実施形態において、第１補正値と現行選択輝度とに基づいて決定された駆動輝度は、等価輝度として例示される。
【０１３０】
（第２補正部）
図１４は、第２補正部２１８が格納する第２補正テーブルの概念図である。図１、図１２乃至図１４を用いて、第２補正部２１８が説明される。
【０１３１】
第２補正部２１８は、第２補正信号を生成するための第２補正テーブル２２３を格納する。第２補正テーブル２２３は、第２走査動作が開始されるときに画素が達成している輝度に対する期待値を決定するための期待値テーブル２２４と、期待値とフレーム画像信号とに基づき、第２走査が行われるときの駆動輝度を決定するための決定テーブル２２５と、を含む。本実施形態において、液晶駆動部２２０は、第１走査動作及び第２走査動作の２回の走査動作を行う。したがって、期待値テーブル２２４は、２回目の走査動作である第２走査動作が開始されるときに画素が達成している輝度に対する期待値に関する期待値データを格納する。
【０１３２】
後述される実施形態の如く、液晶駆動部が２回以上の第２走査動作を行うならば、期待値テーブルは、各走査動作が行われるときに画素が達成している輝度に対する期待値に関する期待値データを格納してもよい。また、後述される実施形態の如く、液晶駆動部が第２走査動作を行った後に第３走査動作を行うならば、期待値テーブルは、第３走査動作が行われるときに画素が達成している輝度に対する期待値に関する期待値データをさらに格納してもよい。また、第２補正部２１８は、テーブルに代えて演算式又は関数を備え、演算式又は関数により期待値を算出するようにしてもよい。
【０１３３】
期待値テーブル２２４は、第１遅延部２１３からのＬフレーム画像信号ＳＬｘ（２）、第２遅延部２１５からの選択信号ＳＲｘ（１ｄ）及び第３遅延部２１６からの選択信号ＳＬｘ（１ｄ）が入力される入力テーブル２２６を含む。
【０１３４】
入力テーブル２２６には、上述の如く、第１遅延部２１３からのＬフレーム画像信号ＳＬｘ（２）、第２遅延部２１５からの選択信号ＳＲｘ（１ｄ）及び第３遅延部２１６からの選択信号ＳＬｘ（１ｄ）が入力される。図１４に示される入力テーブル２２６中の第２遅延部２１５からの入力に対応する座標軸は、第２遅延部２１５からの選択信号ＳＲｘ（１ｄ）が規定する現行選択輝度を示す。入力テーブル２２６中の第３遅延部２１６からの入力に対応する座標軸は、第３遅延部２１６からの選択信号ＳＬｘ（１ｄ）が規定する先行選択輝度を示す。尚、第２遅延部２１５からの選択信号ＳＲｘ（１ｄ）が規定する現行選択輝度及び第３遅延部２１６からの選択信号ＳＬｘ（１ｄ）が規定する先行選択輝度は、図１３に関連して説明された現行選択輝度及び先行選択輝度と等しい値である。
【０１３５】
図１５は、先行するＬフレーム画像信号ＳＬｘ（２）が規定する目標輝度と後続のＲフレーム画像信号ＳＲｘ（２）が規定する目標輝度との差異が与える画素の輝度変化に対する影響を概略的に示すグラフである。図８、図１４及び図１５を用いて、入力テーブル２２６が更に説明される。
【０１３６】
図１５中、水平方向に延びる直線ＨＬは、Ｒフレーム画像信号ＳＲｘ（２）が規定する目標輝度を示す。図１５中の曲線ＣＶ１は、先行するＬフレーム画像信号ＳＬｘ（２）が規定する目標輝度と後続のＲフレーム画像信号ＳＲｘ（２）が規定する目標輝度との差異が小さいときの画素の輝度変化を表す。図１５中の曲線ＣＶ２は、先行するＬフレーム画像信号ＳＬｘ（２）が規定する目標輝度と後続のＲフレーム画像信号ＳＲｘ（２）が規定する目標輝度との差異が大きいときの画素の輝度変化を表す。尚、時間「０」における曲線ＣＶ１，ＣＶ２の値は、それぞれ、先行するＬフレーム画像信号ＳＬｘ（２）が規定する目標輝度に相当する。図１５に示される如く、先行するＬフレーム画像信号ＳＬｘ（２）が規定する目標輝度と後続のＲフレーム画像信号ＳＲｘ（２）が規定する目標輝度との差異が小さいとき、画素の輝度は、Ｒフレーム画像信号ＳＲｘ（２）が規定する目標輝度に比較的早期に到達する。一方、先行するＬフレーム画像信号ＳＬｘ（２）が規定する目標輝度と後続のＲフレーム画像信号ＳＲｘ（２）が規定する目標輝度との差異が大きいとき、画素の輝度がＲフレーム画像信号ＳＲｘ（２）の目標輝度に到達するまでの期間は長くなる。
【０１３７】
図１４に示される如く、入力テーブル２２６は、第１遅延部２１３から入力される先行のＬフレーム画像信号ＳＬｘ（２）が規定する目標輝度に対応する座標軸を備える。
【０１３８】
第２補正部２１８は、第１遅延部２１３から入力されるＬフレーム画像信号ＳＬｘ（２）が規定する目標輝度、第２遅延部２１５からの選択信号ＳＲｘ（１ｄ）が規定する現行選択輝度及び第３遅延部２１６からの選択信号ＳＬｘ（１ｄ）が規定する先行選択輝度に基づき、画素Ｐ１乃至Ｐ８それぞれに対して、期待値を決定する。
【０１３９】
決定テーブル２２５は、第２走査期間に出力される第２補正値のデータを格納する。決定テーブル２２５中のフレーム画像信号（Ｒフレーム画像信号ＳＲｘ（２））の入力に対応する座標軸は、フレーム画像信号（Ｒフレーム画像信号ＳＲｘ（２））が規定する目標輝度を示す。決定テーブル２２５中の期待値テーブル２２４からの入力に対応する座標軸は、期待値テーブル２２４から抽出された輝度の期待値（即ち、第１走査期間中に達成すると期待される画素の輝度）を示す。第２補正部２１８は、目標輝度と輝度の期待値と、に基づき、画素Ｐ１乃至Ｐ８それぞれに対して、第２補正値を決定し、第２補正値の情報を含む第２補正信号ＣＲｘ（２）を第２選択部２１９へ出力する。
【０１４０】
図１２に示される如く、第２走査期間において、出力部２２１には、Ｒフレーム画像信号ＳＲｘ（２）及び第２補正部２１８によって生成された第２補正信号ＣＲｘ（２）が入力される。
【０１４１】
出力部２２１は、Ｒフレーム画像信号ＳＲｘ（２）が規定する目標輝度と、第２補正信号ＣＲｘ（２）が規定する第２補正値と、を加算し、第２走査期間で用いられる駆動輝度を決定する。第２走査動作が行われる第２走査期間において、出力部２２１は、算出された駆動輝度の情報を含む第２画像信号ＩＲｘ（２）を液晶駆動部２２０へ出力する。但し、図３乃至図５に関連して説明された如く、第２画像信号ＩＲｘ（２）は、ゲート線Ｌ１，Ｌ３，・・・上の画素に対する駆動輝度の情報を含まず、ゲート線Ｌ２，Ｌ４，・・・上の画素に対する駆動輝度の情報のみを含む。
【０１４２】
液晶駆動部２２０は、第２画像信号ＩＲｘ（２）に基づき、液晶パネル２３１の液晶を駆動する。第２画像信号ＩＲｘ（２）に基づく液晶の駆動の結果、画素Ｐ２，Ｐ４，Ｐ６，Ｐ８の輝度は、駆動輝度に向けて変動する。
【０１４３】
（輝度データの変動）
図１６は、第１走査期間に出力される信号が含む輝度のデータを示す。図８、図１３及び図１６を用いて、第１走査期間中の輝度のデータの変化が説明される。図１６中の表は、データ線Ｍに沿って整列した画素の輝度を表す。尚、以下の説明において、第１等価部２１１及び第２等価部２１４は、選択処理を行っている。
【０１４４】
第１等価部２１１に入力されるＸ番目のＲフレーム画像信号ＳＲｘ（２）は、奇数番号のゲート線Ｌ１，Ｌ３，・・・，Ｌ２ｔ−１に対応する画素に対して、「５０」の輝度を示している。また、Ｒフレーム画像信号ＳＲｘ（２）は、偶数番号のゲート線Ｌ２，Ｌ４，・・・，Ｌ２ｔに対応する画素に対して、「１０」の輝度を示している。
【０１４５】
第１等価部２１１は、奇数番号のゲート線Ｌ１，Ｌ３，・・・，Ｌ２ｔ−１に対応する画素の輝度を基準に、図８に関連して説明された選択処理を行い、選択信号ＳＲｘ（１）を生成する。つまり、本実施形態では、第１等価部２１１は、奇数番号のゲート線Ｌ１，Ｌ３，・・・，Ｌ２ｔ−１に対応する画素を特定画素として選択する。この結果、選択信号ＳＲｘ（１）は、奇数番号のゲート線Ｌ１，Ｌ３，・・・，Ｌ２ｔ−１に対応する画素及び偶数番号のゲート線Ｌ２，Ｌ４，・・・，Ｌ２ｔに対応する画素の両方に対して、「５０」の輝度を示す。選択信号ＳＲｘ（１）は、第１選択部２１２及び第１補正部２１７に出力される。第１選択部２１２は、出力部２２１へ選択信号ＳＲｘ（１）を出力する。
【０１４６】
Ｘ番目のＲフレーム画像を表示するための右眼期間の第１走査期間において、第１遅延部２１３は、直前のＸ番目のＬフレーム画像を表示するために左眼期間において取得されたＬフレーム画像信号ＳＬｘ（２）を出力する。Ｌフレーム画像信号ＳＬｘ（２）は、奇数番号のゲート線Ｌ１，Ｌ３，・・・，Ｌ２ｔ−１に対応する画素に対して、「１００」の輝度を示している。また、Ｌフレーム画像信号ＳＬｘ（２）は、偶数番号のゲート線Ｌ２，Ｌ４，・・・，Ｌ２ｔに対応する画素に対して、「９０」の輝度を示している。Ｌフレーム画像信号ＳＬｘ（２）は、第２等価部２１４へ入力される。
【０１４７】
第２等価部２１４は、奇数番号のゲート線Ｌ１，Ｌ３，・・・，Ｌ２ｔ−１に対応する画素の輝度を基準に、図８に関連して説明された選択処理を行い、選択信号ＳＬｘ（１）を生成する。この結果、選択信号ＳＬｘ（１）は、奇数番号のゲート線Ｌ１，Ｌ３，・・・，Ｌ２ｔ−１に対応する画素及び偶数番号のゲート線Ｌ２，Ｌ４，・・・，Ｌ２ｔに対応する画素の両方に対して、「１００」の輝度を示す。選択信号ＳＬｘ（１）は、第１補正部２１７に出力される。
【０１４８】
図１３に関連して説明された如く、第１補正部２１７は、選択信号ＳＲｘ（１），ＳＬｘ（１）に基づき、第１補正テーブル２２２を用いて、第１補正信号ＣＲｘ（１）を生成する。第１補正部２１７は、選択信号ＳＲｘ（１）が示す現行選択輝度と、等価信号ＳＬｘ（１）が示す先行選択輝度とに基づき、画素それぞれに対して第１補正値を決定する。図１６に示される選択信号ＳＲｘ（１）は、データ線Ｍに沿う全ての画素に対し、「５０」の現行選択輝度を示し、選択信号ＳＬｘ（１）は、データ線Ｍに沿う全ての画素に対し、「１００」の先行選択輝度を示しているので、第１補正部２１７は、データ線Ｍに沿う全ての画素に対し、「−５」の第１補正値を定め、第１補正信号ＣＲｘ（１）を生成する。第１補正信号ＣＲｘ（１）は、その後、第２選択部２１９を介して、出力部２２１へ出力される。
【０１４９】
出力部２２１は、選択信号ＳＲｘ（１）が指し示す輝度と、第１補正信号ＣＲｘ（１）が指し示す第１補正値と、を画素それぞれについて加算する。図１６に示される選択信号ＳＲｘ（１）は、データ線Ｍに沿う全ての画素に対し、「５０」の輝度を示し、第１補正信号ＣＲｘ（１）は、データ線Ｍに沿う全ての画素に対し、「−５」の第１補正値を示しているので、出力部２２１から出力される第１画像信号ＩＲｘ（１）は、データ線Ｍに沿う全ての画素に対し、「４５」の駆動輝度を規定する。
【０１５０】
図１７は、第２走査期間に出力される信号が含む輝度のデータを示す。図１及び図１７を用いて、第２走査期間中の輝度のデータの変化が説明される。図１７中の表は、データ線Ｍに沿って整列した画素の輝度を表す。
【０１５１】
Ｘ番目のＲフレーム画像信号ＳＲｘ（２）は、第１選択部２１２及び第２補正部２１８に入力される。第１選択部２１２は、第２走査期間に、Ｒフレーム画像信号ＳＲｘ（２）を出力部２２１へ出力する。
【０１５２】
第１走査期間において、第１等価部２１１が出力した選択信号ＳＲｘ（１）は、第２遅延部２１５に入力される。第２遅延部２１５は、選択信号ＳＲｘ（１）を遅延させ、第２走査期間において、選択信号ＳＲｘ（１ｄ）として、出力する。尚、選択信号ＳＲｘ（１）が画素それぞれに規定する輝度及び選択信号ＳＲｘ（１ｄ）が画素それぞれに規定する輝度は等しい。
【０１５３】
第１走査期間において、第２等価部２１４が出力した選択信号ＳＬｘ（１）は、第３遅延部２１６に入力される。第３遅延部２１６は、選択信号ＳＬｘ（１）を遅延させ、第２走査期間において、選択信号ＳＬｘ（１ｄ）として、出力する。尚、選択信号ＳＬｘ（１）が画素それぞれに規定する輝度及び選択信号ＳＬｘ（１ｄ）が画素それぞれに規定する輝度は等しい。
【０１５４】
第２遅延部２１５は、選択信号ＳＲｘ（１ｄ）を第２補正部２１８へ出力する。選択信号ＳＲｘ（１ｄ）は、奇数番号のゲート線Ｌ１，Ｌ３，・・・，Ｌ２ｔ−１に対応する画素及び偶数番号のゲート線Ｌ２，Ｌ４，・・・，Ｌ２ｔに対応する画素に対して、「５０」の輝度をそれぞれ示している。
【０１５５】
第３遅延部２１６は、選択信号ＳＬｘ（１ｄ）を第２補正部２１８へ出力する。選択信号ＳＬｘ（１ｄ）は、奇数番号のゲート線Ｌ１，Ｌ３，・・・，Ｌ２ｔ−１に対応する画素及び偶数番号のゲート線Ｌ２，Ｌ４，・・・，Ｌ２ｔに対応する画素に対して、「１００」の輝度をそれぞれ示している。
【０１５６】
上述の如く、第１遅延部２１３は、第２走査期間において、Ｘ番目のＬフレーム画像信号ＳＬｘ（２）を第２補正部２１８に出力する。Ｌフレーム画像信号ＳＬｘ（２）は、奇数番号のゲート線Ｌ１，Ｌ３，・・・，Ｌ２ｔ−１（ｔは自然数）上の画素に対して、「１００」の輝度を規定し、偶数番号のゲート線Ｌ２，Ｌ４，・・・，Ｌ２ｔ（ｔは自然数）上の画素に対して、「９０」の輝度を規定している。
【０１５７】
図１４に関連して説明された如く、第２補正部２１８は、第１等価部２１１及び第２等価部２１４が規定した選択輝度、及び先行するフレーム画像信号が規定する目標輝度に基づき、期待値を決定する。Ｌフレーム画像信号ＳＬｘ（２）が偶数番号のゲート線Ｌ２，Ｌ４，・・・，Ｌ２ｔ（ｔは自然数）上の画素に対して規定する輝度は、Ｌフレーム画像信号ＳＬｘ（２）が奇数番号のゲート線Ｌ１，Ｌ３，・・・，Ｌ２ｔ−１（ｔは自然数）上の画素に対して規定する画素を下回るので、偶数番号のゲート線Ｌ２，Ｌ４，・・・，Ｌ２ｔ（ｔは自然数）上の画素が第２走査動作開始時において達成している輝度は、奇数番号のゲート線Ｌ１，Ｌ３，・・・，Ｌ２ｔ−１（ｔは自然数）上の画素が第２走査動作開始時において達成している輝度よりも低いことが予想される。したがって、第２補正部２１８Ｄは、奇数番号のゲート線Ｌ１，Ｌ３，・・・，Ｌ２ｔ−１（ｔは自然数）上の画素に対して決定された期待値よりも小さな期待値を偶数番号のゲート線Ｌ２，Ｌ４，・・・，Ｌ２ｔ（ｔは自然数）上の画素に対して決定する。
【０１５８】
上述の如く、Ｒフレーム画像信号ＳＲｘ（２）は、偶数番号のゲート線Ｌ２，Ｌ４，・・・，Ｌ２ｔ（ｔは自然数）上の画素に対して、「１０」の輝度を規定している。また、第２補正部２１８は、偶数番号のゲート線Ｌ２，Ｌ４，・・・，Ｌ２ｔ（ｔは自然数）上の画素に対して「５０」の期待値を設定している。したがって、第２補正部２１８は、「１０」の輝度と「５０」の期待値とを比較し、「−５」の第２補正値を、偶数番号のゲート線Ｌ２，Ｌ４，・・・，Ｌ２ｔ（ｔは自然数）上の画素に対して決定する。
【０１５９】
第２補正部２１８は、上述の如く、第２補正値の情報を含む第２補正信号ＣＲｘ（２）を、第２選択部２１９を介して、第２選択部２１９へ出力する。出力部２２１は、Ｒフレーム画像信号ＳＲｘ（２）が指し示す輝度と、第２補正信号ＣＲｘ（２）が指し示す第２補正値と、を画素それぞれについて加算し、第２画像信号ＩＲｘ（２）を生成並びに出力する。生成された第２画像信号ＩＲｘ（２）は、奇数番号のゲート線Ｌ１，Ｌ３，・・・，Ｌ２ｔ−１（ｔは自然数）上の画素に対しては、駆動輝度を規定していない。また、第２画像信号ＩＲｘ（２）は、偶数番号のゲート線Ｌ２，Ｌ４，・・・，Ｌ２ｔ（ｔは自然数）上の画素に対して「５」の駆動輝度を規定している。
【０１６０】
図１８は、図１６及び図１７に関連して説明された信号処理に基づく画素の輝度の変化を表す概略的なタイムチャートである。図１、図５、図８、図９、図１６乃至図１８を用いて、画素の輝度変化が説明される。
【０１６１】
図１８のセクション（Ａ）には、Ｘ番目のＬフレーム画像の表示のための左眼期間、Ｘ番目のＲフレーム画像の表示のための右眼期間及び（Ｘ＋１）番目のＬフレーム画像の表示のための左眼期間が示されている。以下の説明において、右眼期間における画素の輝度変化が説明される。
【０１６２】
図１８のセクション（Ｂ）には、第１走査動作及び第２走査動作が示される。右眼期間の第１走査期間において、液晶駆動部２２０は、第１画像信号ＩＲｘ（１）を用いて、第１走査動作を実行する。図５に関連して説明された如く、液晶駆動部２２０は、１つの奇数番号のゲート線に対応する画素と、１つの偶数番号のゲート線に対応する画素の液晶と、を１つの組として、同時に駆動する。この結果、第１画像信号ＩＲｘ（１）は、ゲート線（Ｌ１，Ｌ２）の組、ゲート線（Ｌ３，Ｌ４）の組、・・・・、ゲート線（Ｌ２ｔ−１，Ｌ２５）の組に順次書き込まれる。右眼期間の第２走査期間において、液晶駆動部２２０は、第２画像信号ＩＲｘ（２）を用いて、第２走査動作を実行する。図５に関連して説明された如く、液晶駆動部２２０は、ゲート線Ｌ２，Ｌ４，・・・，Ｌ２ｔに対応する画素に順次、第２画像信号ＩＲｘ（２）の輝度データを書き込む。図５に関連して説明された如く、第１走査期間と第２走査期間とは同じ長さとなっている。
【０１６３】
図１８のセクション（Ｃ）は、光学シャッタ部３１０の開閉動作を示す。左眼シャッタ３１１は、第２走査動作の完了後、且つ、右眼期間が開始される前までの期間において開く。また、右眼シャッタ３１２は、第２走査動作の完了後、且つ、左眼期間が開始される前までの期間において開く。
【０１６４】
図１８のセクション（Ｄ）は、ゲート線Ｌ１とデータ線Ｍとの交点に位置する画素の輝度の変化を表す。図１８のセクション（Ｅ）は、ゲート線Ｌ２とデータ線Ｍとの交点に位置する画素の輝度の変化を表す。
【０１６５】
図１６及び図１７に関連して説明された如く、直前の左眼期間においてＬフレーム画像の表示に用いられたＬフレーム画像信号ＳＬｘ（２）は、奇数番号のゲート線Ｌ１，Ｌ３，・・・，Ｌ２ｔ−１に対応する画素に対して、「１００」の目標輝度を規定している。したがって、セクション（Ｄ）に示される画素の輝度は、「１００」から変動を開始する。Ｌフレーム画像信号ＳＬｘ（２）は、偶数番号のゲート線Ｌ２，Ｌ４，・・・，Ｌ２ｔに対応する画素に対して、「９０」の目標輝度を規定している。したがって、セクション（Ｅ）に示される画素の輝度は、「９０」から変動を開始する。
【０１６６】
図１６に関連して説明された如く、第１画像信号ＩＲｘ（１）は、データ線Ｍに沿う画素全てに対して、「４５」の駆動輝度を設定する。したがって、第１走査動作がなされると、データ線Ｍに沿う画素の輝度は、「４５」の駆動輝度に向けて、変動を開始する。
【０１６７】
第１走査動作の結果、第２走査動作が開始される直前には、奇数番号のゲート線Ｌ１，Ｌ３，・・・，Ｌ２ｔ−１に対応する画素の輝度は、第２補正部２１８の決定テーブル２２５を用いて決定された「６０」の輝度の期待値に到達する、或いは、「６０」の輝度の期待値に近似する。同様に、第１走査動作の結果、第２走査動作が開始される直前には、偶数番号のゲート線Ｌ２，Ｌ４，・・・，Ｌ２ｔに対応する画素の輝度は、第２補正部２１８の決定テーブル２２５を用いて決定された「５０」の輝度の期待値に到達する、或いは、「５０」の輝度の期待値に近似する。
【０１６８】
図３乃至図５に関連して説明された如く、第２画像信号ＩＲｘ（２）は、奇数番号のゲート線Ｌ１，Ｌ３，・・・，Ｌ２ｔ−１に対応する画素に対して、駆動輝度を設定しない。したがって、第２走査動作がなされると、奇数番号のゲート線Ｌ１，Ｌ３，・・・，Ｌ２ｔ−１に対応する画素は、第１走査動作における輝度変動が継続され、第２走査動作が実行される間に「５０」の目標輝度にさらに近づき、右眼シャッタ３１２が開かれるときには、目標輝度に到達している。
【０１６９】
第２画像信号ＩＲｘ（２）は、偶数番号のゲート線Ｌ２，Ｌ４，・・・，Ｌ２ｔに対応する画素に対して、「５」の駆動輝度を規定している。したがって、第２走査動作がなされると、偶数番号のゲート線Ｌ２，Ｌ４，・・・，Ｌ２ｔに対応する画素は、「５」の駆動輝度に向けて、変動を開始する。「５」の駆動輝度は、Ｒフレーム画像信号ＳＲｘ（２）が規定する目標輝度「１０」を下回るので、偶数番号のゲート線Ｌ２，Ｌ４，・・・，Ｌ２ｔに対応する画素の液晶は、比較的大きな駆動力で駆動される。したがって、右眼シャッタ３１２が開かれるときには、Ｒフレーム画像信号ＳＲｘ（２）が規定する目標輝度「１０」に十分に近づけられている。
【０１７０】
図１８のセクション（Ｅ）に示される如く、ゲート線Ｌ２に対応する画素は、右眼シャッタ３１２が開かれるときには、「１０」の目標輝度に略到達している。
【０１７１】
このように、図１８に示される走査動作では、目標輝度と異なる輝度が駆動輝度に設定されてオーバードライブ処理が行われているため、図６に示される基本的な走査動作に比べて、画素の輝度をより早く目標輝度に近づけることができる。したがって、液晶パネル２３１の表示面のクロストークをより一層低減することができるため、図６に示される基本的な走査動作より、図１８に示される走査動作の方が好ましい。
【０１７２】
尚、クロストークの更なる改善は、眼鏡装置３００のシャッタ部３１０の開閉制御及び／又はバックライト２３２の点灯制御によっても達成可能である。例えば、クロストークの量は、眼鏡装置３００の左眼シャッタ３１１が開くタイミング及び右眼シャッタ３１２が開くタイミングがそれぞれ遅延されることにより、低減される。左眼シャッタ３１１が開くタイミング及び右眼シャッタ３１２が開くタイミングの遅延は、結果として、左眼シャッタ３１１及び右眼シャッタ３１２の短縮化をもたらし、視聴者が知覚する光量が低減することもある。バックライト２３２の光量の増大により、左眼シャッタ３１１及び右眼シャッタ３１２の短縮化に起因する視聴者が知覚する光量の低減は、補填されうる。かくして、クロストークの一層の低減化が好適に図られる。
【０１７３】
（第１実施形態の効果）
図１９は、比較例において、入力されるフレーム画像信号で規定される目標輝度に対し、第１及び第２走査動作で設定される目標輝度を表形式で概略的に示す図である。図１９には、図４と同様に、ゲート線Ｌ１乃至Ｌ１２の目標輝度が示されている。図２０は、図１９に示される比較例において実行される走査動作を示す概略的なグラフである。図２０（ａ）は、図１９に示される比較例における第１走査動作を示す。図２０（ｂ）は、図１９に示される比較例における第２走査動作を示す。図２０には、図５と同様に、ゲート線Ｌ１乃至Ｌ１２の走査動作が示されている。図２０（ａ）及び図２０（ｂ）の横軸は、ゲート線Ｌ１乃至Ｌ１２までの走査動作を行っている時間軸である。図２０（ａ）及び図２０（ｂ）の縦軸は、液晶パネルの副走査方向の位置を表す。図４、図５、図１９及び図２０を用いて、比較例に対する第１実施形態の効果が説明される。
【０１７４】
図１９に示される比較例において、フレーム画像信号で規定された目標輝度は、図４に示される第１実施形態と同様である。すなわち、図１９に示されるように、ゲート線Ｌ１乃至Ｌ１２のデータ線Ｍにおける画素に対し、フレーム画像信号でそれぞれ目標輝度Ｉ１乃至Ｉ１２が規定されている。また、図１９に示される比較例において、第１走査動作は、図４に示される第１実施形態と同様である。すなわち、図１９に示されるように、第１走査動作において、ゲート線Ｌ２ｔ−１，Ｌ２ｔ上の画素の目標輝度は等しく設定される（ｔは、自然数）。したがって、図１９に示される比較例においても、液晶駆動部により、ゲート線Ｌ２ｔ−１，Ｌ２ｔ上に同時に信号が書き込まれる。この結果、ゲート線Ｌ２ｔ−１，Ｌ２ｔ上の画素に対応する液晶は、同時に駆動される。
【０１７５】
したがって、図５（ａ）と図２０（ａ）とを比較して分るように、第１走査動作では、第１実施形態及び比較例のいずれも、液晶駆動部により、２つのゲート線Ｌ２ｔ−１，Ｌ２ｔの組に同時に信号の書き込みが行われるので、ゲート線Ｌ１乃至Ｌ１２の書き込みを完了するまでの第１走査動作の期間Ｔ１は、変わらない。
【０１７６】
一方、第２走査動作については、図１９に示される比較例は、図４に示される第１実施形態と異なっている。すなわち、図１９に示される比較例では、第２走査動作において、フレーム画像信号（Ｌフレーム画像信号及びＲフレーム画像信号）に基づいて、全てのゲート線Ｌ１，Ｌ２，・・・上の画素を駆動する。したがって、ゲート線Ｌ１，Ｌ２，・・・に順次書き込みが行われる。このため、比較例では、図２０（ｂ）から分るように、第２走査動作の期間Ｔ２は、第１走査動作の期間Ｔ１より長くなっている。
【０１７７】
図４及び図１９に示されるように、第１実施形態及び比較例のいずれも、第２走査動作後に液晶パネルに表示される画像は、フレーム画像信号で規定される目標輝度Ｉ１，Ｉ２，・・・に対応するものとなっている。しかしながら、第２走査動作の期間が、第１実施形態と比較例とで大きく異なっている。すなわち、図５（ｂ）に関連して説明された如く、第１実施形態では、第２走査動作の期間は、第１走査動作の期間と同じＴ１になっているのに対して、比較例では、駆動する画素数が第１実施形態の２倍であることから、第２走査動作の期間Ｔ２は、第１走査動作の期間Ｔ１の２倍になっている。したがって、第１実施形態によれば、図１９に示される比較例よりも第２走査動作が早期に終了するので、液晶パネル２３１の表示面の下部領域におけるクロストークを、比較例に比べて低減することができる。
【０１７８】
（その他）
なお、上記第１実施形態では、出力部２２１から出力される第２画像信号ＩＲｘ（２）において、出力部２２１は、奇数番号のゲート線Ｌ１，Ｌ３，・・・，Ｌ２ｔ−１に対応する画素に対して駆動輝度を設定しないようにしている。そして、出力部２２１の上流側、例えば第２補正部２１８では、第２走査動作において保持される奇数番号のゲート線Ｌ１，Ｌ３，・・・，Ｌ２ｔ−１に対応する画素についても、決定テーブル２２５を用いて輝度の期待値を決定している。代替的に、例えば第２走査動作で保持される画素については、輝度の期待値を決定するのを省略してもよい。この点については、以降の実施形態でも同様である。すなわち、次に実行される走査動作で保持される画素については、直前に実行された走査動作で達成される輝度の期待値を決定するのを省略してもよい。
【０１７９】
＜第２実施形態＞
上記第１実施形態では、液晶駆動部２２０は、１回の第２走査動作を実行しているが、これに限られず、Ｎ回（Ｎは２以上の整数）の第２走査動作を実行するようにしてもよい。以下に説明する第２実施形態では、液晶駆動部２２０は、２回（Ｎ＝２）の第２走査動作を実行する。液晶駆動部２２０がＮ回の第２走査動作を実行する場合には、映像信号処理部２１０は、Ｎ個の第２画像信号を生成すればよい。この場合、液晶駆動部２２０は、Ｎ個の第２画像信号をそれぞれ液晶パネル２３１の表示面に亘って走査する第２走査動作を、１個目の第２画像信号からＮ個目の第２画像信号まで順番にＮ回実行すればよい。さらに、液晶駆動部２２０は、ｎ回目（ｎは２以上Ｎ以下の整数）の第２走査動作では、（ｎ−１）回目の第２走査動作において第２画像信号の輝度データが書き込まれていない画素の一部の画素である駆動画素に輝度データを書き込み、駆動画素以外の画素に輝度データを書き込まないようにしてもよい。
【０１８０】
なお、第２実施形態及び後述される各実施形態では、例えば図６に示される基本的な走査動作と、例えば図１８に示されるオーバードライブ処理を用いた走査動作とのいずれの走査動作を実行してもよい。但し、上記第１実施形態で説明されたように、液晶パネル２３１の表示面のクロストークをより一層低減することができるため、図６に示される基本的な走査動作より、図１８に示される走査動作の方が好ましい。
【０１８１】
図２１は、第２実施形態において、入力されるフレーム画像信号で規定される目標輝度に対し、第１走査動作及び２回の第２走査動作で設定される目標輝度を表形式で概略的に示す図である。図２２は、液晶駆動部２２０が行う走査動作を示す概略的なグラフである。図２２（ａ）は、第１画像信号に基づく第１走査動作を示す。図２２（ｂ）は、第２画像信号に基づく１回目の第２走査動作を示す。図２２（ｃ）は、異なる第２画像信号に基づく２回目の第２走査動作を示す。図２２は、ゲート線Ｌ１乃至Ｌ１２までの走査動作が示されている。図２２（ａ）乃至図２２（ｃ）の横軸は、ゲート線Ｌ１乃至Ｌ１２までの走査動作を行っている時間軸である。図２２（ａ）乃至図２２（ｃ）の縦軸は、液晶パネル２３１の副走査方向の位置を表す。第１実施形態と同様の要素に対して、同様の符号が割り当てられている。以下において説明されない要素に対し、第１実施形態に係る説明が好適に援用される。図１、図８（ｂ）、図２１及び図２２を用いて、第２実施形態における第１走査動作及び第２走査動作が説明される。
【０１８２】
図２１に示されるように、第１実施形態と同様に、ゲート線Ｌ１乃至Ｌ１２のデータ線Ｍにおける画素に対し、フレーム画像信号でそれぞれ目標輝度Ｉ１乃至Ｉ１２が規定されている。第１走査動作では、第１実施形態と異なり、副走査方向に隣接して整列した４個の画素を含む画素グループが設定される。すなわち、例えば図８（ｂ）に示されるように、ゲート線Ｌ１，Ｌ２，Ｌ３，Ｌ４に対応する画素Ｐ１，Ｐ２，Ｐ３，Ｐ４を含む画素グループＧ５が設定される。
【０１８３】
第１走査動作では、映像信号処理部２１０は、画素グループごとに、図８（ａ）に関連して説明された選択処理によって選択された選択輝度が、画素グループに含まれる画素の共通する目標輝度として設定されるように、第１画像信号を生成する。液晶駆動部２２０は、映像信号処理部２１０により生成された第１画像信号に基づき第１走査動作を実行し、画素グループに含まれる全ての画素（つまりデータ線Ｍ上の全ての画素）を駆動する。すなわち、例えばゲート線Ｌ１，Ｌ２，Ｌ３，Ｌ４に対応する画素（例えば図８（ｂ）では画素グループＧ５に含まれる画素）は、それぞれ目標輝度Ｉ１，Ｉ２，Ｉ３，Ｉ４から選択された選択輝度Ｉ１に基づき駆動される。言い換えると、選択輝度Ｉ１は、ゲート線Ｌ１，Ｌ２，Ｌ３，Ｌ４に対応する画素の組（例えば図８（ｂ）では画素グループＧ５）に含まれる４個の画素のうちで、選択されたゲート線Ｌ１に対応する画素に対してフレーム画像信号が規定した目標輝度である。同様に、例えばゲート線Ｌ９，Ｌ１０，Ｌ１１，Ｌ１２に対応する画素は、それぞれ目標輝度Ｉ９，Ｉ１０，Ｉ１１，Ｉ１２から選択された選択輝度Ｉ９に基づき駆動される。言い換えると、選択輝度Ｉ９は、ゲート線Ｌ９，Ｌ１０，Ｌ１１，Ｌ１２に対応する画素の組に含まれる４個の画素のうちで、選択されたゲート線Ｌ９に対応する画素に対してフレーム画像信号が規定した目標輝度である。
【０１８４】
続く１回目の第２走査動作では、４個の画素を含む画素グループがさらに分割されて、２個の画素を含むサブグループが設定される。すなわち、例えば図８（ｂ）に示されるように、画素グループＧ５はさらに分割されて、ゲート線Ｌ１，Ｌ２に対応する画素Ｐ１，Ｐ２を含むサブグループＧ５１と、ゲート線Ｌ３，Ｌ４に対応する画素Ｐ３，Ｐ４を含むサブグループＧ５２とが設定される。
【０１８５】
１回目の第２走査動作では、映像信号処理部２１０は、第１走査動作において選択されなかった画素のみを含むサブグループの画素が駆動され、第１走査動作において選択された画素を含むサブグループの画素は駆動されずに、そのまま保持されるように、１個目の第２画像信号を生成する。液晶駆動部２２０は、映像信号処理部２１０により生成された１個目の第２画像信号に基づき、１回目の第２走査動作を実行し、一部のサブグループに含まれる画素（つまりデータ線Ｍ上の一部の画素）を駆動する。
【０１８６】
すなわち、例えばゲート線Ｌ１，Ｌ２，Ｌ３，Ｌ４に対応する画素のうちゲート線Ｌ１に対応する画素は、第１走査動作において、フレーム画像信号の目標輝度Ｉ１と一致する選択輝度Ｉ１に基づき駆動されている。そこで、１回目の第２走査動作では、映像信号処理部２１０は、ゲート線Ｌ１に対応する画素（選択された画素）を含むゲート線Ｌ１，Ｌ２に対応する画素の組が駆動されないように、１個目の第２画像信号を生成し、それらの画素は、第１走査動作が実行された状態で保持される。一方、ゲート線Ｌ３，Ｌ４に対応する画素は、第１走査動作において選択されておらず、それぞれ目標輝度Ｉ３，Ｉ４と異なる選択輝度Ｉ１に基づき駆動されている。そこで、１回目の第２走査動作では、映像信号処理部２１０は、ゲート線Ｌ３，Ｌ４に対応する画素を、それぞれ目標輝度Ｉ３，Ｉ４から選択された選択輝度Ｉ３に基づき駆動されるように、１個目の第２画像信号を生成する。
【０１８７】
続く２回目の第２走査動作では、２個の画素を含むサブグループがさらに分割されて、１個の画素を含むサブグループが設定される。映像信号処理部２１０は、第１走査動作及び１回目の第２走査動作において選択されなかった画素のみを含むサブグループの画素が駆動され、第１走査動作又は１回目の第２走査動作において選択された画素を含むサブグループの画素は駆動されずに、そのまま保持されるように、２個目の第２画像信号を生成する。この２回目の第２走査動作では、上記第１実施形態の第２走査動作と同様に、サブグループは画素を１個のみ含む。つまり、２個目の第２画像信号は、上記第１実施形態における第２画像信号と同様に生成され、２回目の第２走査動作は、上記第１実施形態における第２走査動作と同様に実行されることとなる。
【０１８８】
例えばゲート線Ｌ１に対応する画素は、第１走査動作において選択され、フレーム画像信号の目標輝度Ｉ１と一致する選択輝度Ｉ１に基づき駆動されているため、駆動されないように２個目の第２画像信号が生成され、１回目の第２走査動作に引き続いて、そのまま保持される。一方、ゲート線Ｌ２に対応する画素は、第１走査動作において選択されておらず、フレーム画像信号の目標輝度Ｉ２と一致しない選択輝度Ｉ１に基づき駆動され、１回目の第２走査動作では駆動されずに保持されているため、一度も選択されていない。つまり一度もフレーム画像信号の目標輝度Ｉ２に基づき駆動されていない。そこで、ゲート線Ｌ２に対応する画素は、フレーム画像信号の目標輝度Ｉ２に基づき駆動されるように、２個目の第２画像信号が生成される。本実施形態において、駆動される一部のサブグループが駆動サブグループとして例示される。
【０１８９】
第１画像信号は、上述の如く、副走査方向に隣接して整列した画素の輝度を等しくする。本実施形態において、ゲート線Ｌ４ｔ−３，Ｌ４ｔ−２，Ｌ４ｔ−１，Ｌ４ｔ上の画素の輝度は等しく設定される（ｔは、自然数）。したがって、液晶駆動部２２０は、ゲート線Ｌ４ｔ−３，Ｌ４ｔ−２，Ｌ４ｔ−１，Ｌ４ｔ上に同時に第１画像信号を書き込むことができる。この結果、ゲート線Ｌ４ｔ−３，Ｌ４ｔ−２，Ｌ４ｔ−１，Ｌ４ｔ上の画素に対応する液晶は、同時に駆動される。
【０１９０】
１個目の第２画像信号は、上述の如く、ゲート線Ｌ４ｔ−３，Ｌ４ｔ−２上の画素は駆動されずに保持され、ゲート線Ｌ４ｔ−１，Ｌ４ｔ上の画素が等しい輝度で駆動されるように、生成される。したがって、液晶駆動部２２０は、ゲート線Ｌ４ｔ−１，Ｌ４ｔ上の画素に、同時に１個目の第２画像信号を書き込むことができる。
【０１９１】
２個目の第２画像信号は、上述の如く、ゲート線Ｌ２ｔ−１上の画素は駆動されずに保持され、ゲート線Ｌ２ｔ上の画素が駆動されるように、生成される。したがって、液晶駆動部２２０は、ゲート線Ｌ２，Ｌ４，・・・の順で、順次、２個目の第２画像信号を書き込む。
【０１９２】
図２２に示されるように、本実施形態において、第１走査動作を行う液晶駆動部２２０は、第１画像信号により、４つのゲート線Ｌ４ｔ−３，Ｌ４ｔ−２，Ｌ４ｔ−１，Ｌ４ｔの組に同時に信号の書き込みを行う。したがって、全てのゲート線Ｌ１，Ｌ２，・・・に順次、信号を書き込む場合の期間（すなわち図１９に示される比較例の第２走査動作の期間Ｔ２）に比べて、第１走査動作の期間Ｔ３は１／４となる。つまり、期間Ｔ３は、第１実施形態の第１走査動作の期間Ｔ１に比べて半分となる。
【０１９３】
１回目の第２走査動作を行う液晶駆動部２２０は、１個目の第２画像信号により、２つのゲート線Ｌ４ｔ−１，Ｌ４ｔの組に同時に信号の書き込みを行い、かつ２つのゲート線Ｌ４ｔ−３，Ｌ４ｔ−２の組は駆動しない。したがって、１回目の第２走査動作の期間は、第１走査動作の期間と同じＴ３になる。
【０１９４】
一方、２回目の第２走査動作を行う液晶駆動部２２０は、ゲート線Ｌ２，Ｌ４，・・・の順で、順次、２個目の第２画像信号を書き込む。したがって、全てのゲート線Ｌ１，Ｌ２，・・・に順次、信号を書き込む場合の期間（すなわち図１９に示される比較例の第２走査動作の期間Ｔ２）に比べて、２回目の第２走査動作の期間Ｔ１は１／２となる。つまり、第１実施形態の第１走査動作及び第２走査動作の期間Ｔ１と同じになる。比較的短期間で行われる第１走査動作及び２回の第２走査動作によって、液晶パネル２３１の液晶の駆動が表示面全体に亘って短期間で実行されるので、表示面下部領域におけるクロストークが低減される。
【０１９５】
（第２補正部）
上記第１実施形態では、上述の如く、第１走査期間と第２走査期間とは同じ長さであった。これに対して、この第２実施形態では、図２２に関連して説明された如く、第１走査期間と１回目の第２走査期間とは同じＴ３であるが、２回目の第２走査期間Ｔ１はＴ１＞Ｔ３と直前の１回目の第２走査期間に比べて長くなっている。このため、第２補正部２１８において、画素が達成している輝度の期待値を決定するためには、以下に説明するように、画素の位置による調整が必要となる。
【０１９６】
また、図２１に関連して説明された如く、第２実施形態では、２回目の第２走査動作において画素を駆動する際に、当該画素が、全ての画素を駆動する第１走査動作で駆動された後、１回目の第２走査動作で保持されていたか否かの相違が存在する。すなわち、例えばゲート線Ｌ２に対応する画素は、第１走査動作において、フレーム画像信号の目標輝度Ｉ２と一致しない選択輝度Ｉ２に基づき駆動された後、１回目の第２走査動作では駆動されずに保持され、２回目の第２走査動作において、目標輝度Ｉ２に基づき駆動される。一方、ゲート線Ｌ４に対応する画素は、１回目の第２走査動作において、フレーム画像信号の目標輝度Ｉ４と一致しない選択輝度Ｉ３に基づき駆動された後、直後の２回目の第２走査動作で目標輝度Ｉ４に基づき駆動される。このため、第２補正部２１８において、画素が達成している輝度の期待値を決定するためには、以下に説明するように、保持期間による調整も必要となる。
【０１９７】
図２３は、第２実施形態において第２補正部２１８が格納する第２補正テーブルの概念図である。図１及び図２３を用いて、第１実施形態と異なる点を中心として第２補正部２１８が説明される。
【０１９８】
第２実施形態の第２補正部２１８の期待値テーブル２２４は、入力テーブル２２６に加えて、駆動輝度が決定される画素の副走査方向位置及び保持期間に基づき、入力テーブル２２６からの出力値を調整するための調整テーブル２２７を含む。
【０１９９】
第２補正部２１８は、第２実施形態では、入力テーブル２２６により求めた期待値を仮期待値とする。第２補正部２１８は、入力テーブル２２６により求めた仮期待値を調整テーブル２２７により調整して、期待値を決定する。
【０２００】
図２４（ａ）は、画素の位置に起因する走査動作の差異を説明する模式図、図２４（ｂ）は、保持期間に起因する走査動作の差異を概略的に説明する模式図である。図１、図１２、図１４、図１７、図２２及び図２４を用いて、画素の位置及び保持期間に起因する走査動作の差異が説明される。
【０２０１】
図２２に関連して説明された如く、第２実施形態では、第１走査動作及び１回目の第２走査動作は、２回目の第２走査動作よりも短期間で行われる。１回目の第２走査動作の後２回目の第２走査動作が開始されるまでの期間において、液晶は、図１２、図１４及び図１７に関連して説明された駆動輝度に向けて駆動される。
【０２０２】
図２４（ａ）には、駆動輝度に向けて液晶が駆動される期間ＳＰ１，ＳＰ２が示されている。期間ＳＰ１は、比較的早期に駆動される液晶パネル２３１の上部の液晶が駆動輝度に向けて駆動されている期間を示す。期間ＳＰ２は、比較的遅く駆動される液晶パネル２３１の下部の液晶が駆動輝度に向けて駆動されている期間を示す。図２４（ａ）に示される如く、期間ＳＰ２は、期間ＳＰ１より長くなる。
【０２０３】
図２４（ｂ）には、駆動輝度に向けて液晶が駆動される期間ＳＰ１１，ＳＰ１２が示されている。ゲート線Ｌ２に対応する画素は、図２１に関連して説明された如く、第１走査動作で駆動された後、１回目の第２走査動作では駆動されずに保持され、２回目の第２走査動作で駆動されている。すなわち、期間ＳＰ１１は、第１走査動作により駆動されている期間を示し、保持期間（第２走査期間）を含む。一方、ゲート線Ｌ４に対応する画素は、図２１に関連して説明された如く、第１走査動作で駆動された後、続く１回目の第２走査動作でも駆動され、さらに２回目の第２走査動作でも駆動されている。すなわち、期間ＳＰ１２は、１回目の第２走査動作により駆動されている期間を示し、保持期間は含まれていない。図２４（ｂ）に示される如く、期間ＳＰ１１は、期間ＳＰ１２より長くなる。なお、図２４（ａ）に関連する説明から明らかなように、画素の位置に起因する分は期間ＳＰ１１より期間ＳＰ１２の方が長いが、ゲート線Ｌ２，Ｌ４は近接しているため、その差異による影響は小さい。
【０２０４】
図２５は、画素の位置が与える画素の輝度変化に対する影響を概略的に示すグラフである。図１、図９、図１２、図１４、図１７、図２３乃至図２５を用いて、入力テーブル２２６が更に説明される。
【０２０５】
図２５中、水平方向に延びる直線ＨＬは、駆動輝度を示す。図２５中の曲線ＣＶは、図１２、図１４及び図１７に関連して説明された駆動輝度に向けて変動する画素の輝度を表す。上述の如く、液晶パネル２３１の上部の液晶は、期間ＳＰ１の間、駆動輝度に向けて駆動される。この結果、液晶パネル２３１の上部の画素は、「ＡＢ１」の輝度を達成する。一方、液晶パネル２３１の下部の液晶は、期間ＳＰ２の間、駆動輝度に向けて駆動される。この結果、液晶パネル２３１の下部の画素は、「ＡＢ２」の輝度を達成する。液晶パネル２３１の下部の画素は、液晶パネル２３１の上部の画素よりも駆動輝度に近い値となっている。保持期間に起因する期間ＳＰ１１，ＳＰ１２の差異についても、図２５に関連して説明された期間ＳＰ１，ＳＰ２と、同様に考えることができる。
【０２０６】
図２３に示される如く、期待値テーブル２２４は、調整テーブル２２７を含む。調整テーブル２２７は、画素の位置情報２２７１と、画素の保持期間情報２２７２とを含む。画素の位置情報２２７１は、駆動輝度が決定される画素の副走査方向における位置を表す情報を含む。画素の保持期間情報２２７２は、駆動輝度が決定される画素の保持期間を表す情報を含む。第２補正部２１８は、調整テーブル２２７の画素の位置情報２２７１と画素の保持期間情報２２７２とを用いて、図２５に関連して説明された画素の位置及び保持期間に起因する達成輝度の差異を減少させるように仮期待値を調整し、期待値を決定する。本実施形態において、第２補正部２１８は、第１等価部２１１及び第２等価部２１４が規定した選択輝度、先行するフレーム画像信号が規定する目標輝度、並びに画素の位置及び保持期間に基づき、期待値を決定する。代替的に、第２補正部２１８は、選択輝度に代えて又は加えて、画素の輝度に影響する他の因子（例えば、液晶パネル２３１の温度分布）に基づき、期待値を決定してもよい。
【０２０７】
その結果、第２補正部２１８は、例えば図１７において、ゲート線Ｌ２ｔの期待値を「５０」に代えて、例えば「４０」とし、第２補正信号ＣＲｘ（２）のゲート線Ｌ２ｔの補正値を「−５」に代えて、例えば「０」とする。つまり、第２補正部２１８は、画素の副走査方向の位置及び画素の保持期間に応じて、駆動輝度を変更する。これによって、より好適に、画素の輝度を所望の輝度に近づけることができる。
【０２０８】
第２実施形態では、映像信号処理部２１０は、第１走査動作において選択された画素は、第２走査動作では駆動されず、第１走査動作の状態が保持されるように、第２画像信号を生成する。本実施形態において、第１走査動作において選択された画素は、特定画素として例示される。
【０２０９】
また、第２実施形態では、液晶駆動部２２０は、２回（Ｎ＝２）の第２走査動作を実行しているが、ｎ回目（ｎは２以上Ｎ以下の整数）に第２走査動作が実行されるｎ個目の第２画像信号は、１回目から（ｎ−１）回目までの第２走査動作において選択された画素を駆動するデータを含まない。当該画素については、ｎ回目の第２走査動作では、前回駆動された走査動作の状態が保持される。本実施形態において、１回目から（ｎ−１）回目までの第２走査動作において選択された画素は、特定画素として例示される。
【０２１０】
＜第３実施形態＞
上記第２実施形態では、液晶駆動部２２０は、２回（Ｎ＝２）の第２走査動作を実行しているのに対し、第３実施形態では、液晶駆動部２２０は、３回（Ｎ＝３）の第２走査動作を実行する。以下、第１及び第２実施形態との相違点を中心に、第３実施形態が説明される。
【０２１１】
図２６は、第３実施形態において、入力されるフレーム画像信号で規定される目標輝度に対し、第１走査動作及び３回の第２走査動作で設定される目標輝度を表形式で概略的に示す図である。図２７は、液晶駆動部２２０が行う走査動作を示す概略的なグラフである。図２７（ａ）は、第１画像信号に基づく第１走査動作を示す。図２７（ｂ）は、１個目の第２画像信号に基づく１回目の第２走査動作を示す。図２７（ｃ）は、２個目の第２画像信号に基づく２回目の第２走査動作を示す。図２７（ｄ）は、３個目の第２画像信号に基づく３回目の第２走査動作を示す。図２７は、ゲート線Ｌ１乃至Ｌ１２までの走査動作が示されている。図２７（ａ）乃至図２７（ｄ）の横軸は、ゲート線Ｌ１乃至Ｌ１２までの走査動作を行っている時間軸である。図２７（ａ）乃至図２７（ｄ）の縦軸は、液晶パネル２３１の副走査方向の位置を表す。図１、図２６及び図２７を用いて、第３実施形態における第１走査動作及び第２走査動作が概略的に説明される。
【０２１２】
図２６に示されるように、ゲート線Ｌ１乃至Ｌ１２のデータ線Ｍにおける画素に対し、フレーム画像信号でそれぞれ目標輝度Ｉ１乃至Ｉ１２が規定されている。第１走査動作は、第２実施形態と同様に実行されるため、図２１及び図２２に関連する第２実施形態に係る説明が好適に援用される。
【０２１３】
映像信号処理部２１０は、続く１回目乃至３回目の第２走査動作では、画素グループの４個の画素のうち、第１走査動作において選択されなかった３個の画素が、１個ずつ順次選択されて駆動され、それ以外の選択されない画素は駆動されずに、そのまま保持されるように、１個目乃至３個目の第２画像信号を生成する。液晶駆動部２２０は、映像信号処理部２１０により生成された１個目乃至３個目の第２画像信号に基づき、１回目乃至３回目の第２走査動作を実行し、データ線Ｍ上の一部の画素を駆動する。
【０２１４】
すなわち、第１走査動作において、例えばゲート線Ｌ１，Ｌ２，Ｌ３，Ｌ４の組に対応する画素のうちゲート線Ｌ１に対応する画素が選択されて、フレーム画像信号の目標輝度Ｉ１と一致する選択輝度Ｉ１に基づき駆動されている。そこで、１回目の第２走査動作では、映像信号処理部２１０は、ゲート線Ｌ１以外のゲート線Ｌ２，Ｌ３，Ｌ４に対応する画素のうちゲート線Ｌ３に対応する画素が選択されて目標輝度Ｉ３に基づき駆動され、ゲート線Ｌ３以外の画素が駆動されないように、１個目の第２画像信号を生成する。１回目の第２走査動作で駆動されない画素は、第１走査動作の状態のまま保持される。
【０２１５】
続く２回目の第２走査動作では、映像信号処理部２１０は、１回目の第２走査動作までに一度も選択されていない画素のうち１個の画素が選択されて駆動され、それ以外の画素は駆動されず、そのまま保持されるように、２個目の第２画像信号を生成する。そして、液晶駆動部２２０は、映像信号処理部２１０により生成された２個目の第２画像信号に基づき２回目の第２走査動作を実行し、データ線Ｍ上の一部の画素を駆動する。
【０２１６】
すなわち、例えばゲート線Ｌ１，Ｌ２，Ｌ３，Ｌ４の組に対応する画素のうち、ゲート線Ｌ１に対応する画素は第１走査動作において選択されて目標輝度Ｉ１に基づき駆動され、ゲート線Ｌ３に対応する画素は１回目の第２走査動作において選択されて目標輝度Ｉ３に基づき駆動されている。そこで、２回目の第２走査動作では、映像信号処理部２１０は、ゲート線Ｌ２に対応する画素が選択されて目標輝度Ｉ２に基づき駆動され、ゲート線Ｌ２以外の画素が駆動されないように、２個目の第２画像信号を生成する。２回目の第２走査動作で駆動されない画素は、前回に実行された走査動作の状態で保持される。
【０２１７】
続く３回目の第２走査動作では、映像信号処理部２１０は、２回目の第２走査動作までに一度も選択されていない画素が選択されて駆動され、それ以外の画素は駆動されず、そのまま保持されるように、３個目の第２画像信号を生成する。そして、液晶駆動部２２０は、映像信号処理部２１０により生成された３個目の第２画像信号に基づき３回目の第２走査動作を実行し、データ線Ｍ上の一部の画素を駆動する。
【０２１８】
すなわち、例えばゲート線Ｌ１，Ｌ２，Ｌ３，Ｌ４の組に対応する画素のうち、ゲート線Ｌ１に対応する画素は第１走査動作において選択されて目標輝度Ｉ１に基づき駆動され、ゲート線Ｌ３に対応する画素は１回目の第２走査動作において選択されて目標輝度Ｉ３に基づき駆動され、ゲート線Ｌ２に対応する画素は２回目の第２走査動作において選択されて目標輝度Ｉ２に基づき駆動されている。そこで、３回目の第２走査動作では、映像信号処理部２１０は、残っているゲート線Ｌ４に対応する画素が選択されて目標輝度Ｉ４に基づき駆動され、ゲート線Ｌ４以外の画素が駆動されないように、３個目の第２画像信号を生成する。３回目の第２走査動作で駆動されない画素は、前回に実行された走査動作の状態で保持される。ゲート線Ｌ５，Ｌ６，Ｌ７，Ｌ８の組等の他のゲート線の組についても同様に、図２６に示される如く、第１走査動作及び３回の第２走査動作が実行される。なお、１回目乃至３回目の第２走査動作で駆動される画素の順番は、図２６に示される順番に限られない。
【０２１９】
第１画像信号は、上述の如く、副走査方向に隣接して整列した画素の輝度を等しくする。本実施形態において、ゲート線Ｌ４ｔ−３，Ｌ４ｔ−２，Ｌ４ｔ−１，Ｌ４ｔ上の画素の輝度は等しく設定される（ｔは、自然数）。したがって、液晶駆動部２２０は、ゲート線Ｌ４ｔ−３，Ｌ４ｔ−２，Ｌ４ｔ−１，Ｌ４ｔ上に同時に第１画像信号を書き込むことができる。この結果、ゲート線Ｌ４ｔ−３，Ｌ４ｔ−２，Ｌ４ｔ−１，Ｌ４ｔ上の画素に対応する液晶は、同時に駆動される。
【０２２０】
１個目の第２画像信号は、上述の如く、ゲート線Ｌ４ｔ−３，Ｌ４ｔ−２，Ｌ４ｔ上の画素は駆動されずに保持され、ゲート線Ｌ４ｔ−１上の画素のみが駆動されるように、生成される。したがって、液晶駆動部２２０は、ゲート線Ｌ３，Ｌ７，・・・の順で、順次、１個目の第２画像信号を書き込む。
【０２２１】
２個目の第２画像信号は、上述の如く、ゲート線Ｌ４ｔ−３，Ｌ４ｔ−１，Ｌ４ｔ上の画素は駆動されずに保持され、ゲート線Ｌ４ｔ−２上の画素のみが駆動されるように、生成される。したがって、液晶駆動部２２０は、ゲート線Ｌ２，Ｌ６，・・・の順で、順次、２個目の第２画像信号を書き込む。
【０２２２】
３個目の第２画像信号は、上述の如く、ゲート線Ｌ４ｔ−３，Ｌ４ｔ−２，Ｌ４ｔ−１上の画素は駆動されずに保持され、ゲート線Ｌ４ｔ上の画素のみが駆動されるように、生成される。したがって、液晶駆動部２２０は、ゲート線Ｌ４，Ｌ８，・・・の順で、順次、３個目の第２画像信号を書き込む。
【０２２３】
図２７に示されるように、本実施形態において、第１走査動作を行う液晶駆動部２２０は、第１画像信号により、４つのゲート線Ｌ４ｔ−３，Ｌ４ｔ−２，Ｌ４ｔ−１，Ｌ４ｔに対応する画素に同時に信号の書き込みを行う。したがって、全てのゲート線Ｌ１，Ｌ２，・・・に順次、信号を書き込む場合の期間（すなわち図１９に示される比較例の第２走査動作の期間Ｔ２）に比べて、第１走査動作の期間Ｔ３は１／４となる。つまり、期間Ｔ３は、第１実施形態の第１走査動作の期間Ｔ１に比べて半分となる。
【０２２４】
１回目の第２走査動作を行う液晶駆動部２２０は、１個目の第２画像信号により、ゲート線Ｌ４ｔ−１に対応する画素に順次信号の書き込みを行い、かつ３つのゲート線Ｌ４ｔ−３，Ｌ４ｔ−２，Ｌ４ｔに対応する画素は駆動しない。したがって、１回目の第２走査動作の期間は、第１走査動作の期間と同じＴ３になる。
【０２２５】
２回目の第２走査動作を行う液晶駆動部２２０は、２個目の第２画像信号により、ゲート線Ｌ４ｔ−２に対応する画素に順次信号の書き込みを行い、かつ３つのゲート線Ｌ４ｔ−３，Ｌ４ｔ−１，Ｌ４ｔに対応する画素は駆動しない。したがって、２回目の第２走査動作の期間は、第１走査動作の期間と同じＴ３になる。
【０２２６】
３回目の第２走査動作を行う液晶駆動部２２０は、３個目の第２画像信号により、ゲート線Ｌ４ｔに対応する画素に順次信号の書き込みを行い、かつ３つのゲート線Ｌ４ｔ−３，Ｌ４ｔ−２，Ｌ４ｔ−１に対応する画素は駆動しない。したがって、３回目の第２走査動作の期間は、第１走査動作の期間と同じＴ３になる。
【０２２７】
このように、第３実施形態では、短期間で行われる第１走査動作及び３回の第２走査動作によって、液晶パネル２３１の液晶の駆動が表示面全体に亘って短期間で実行されるので、表示面下部領域におけるクロストークが低減される。
【０２２８】
（第２補正テーブル）
第３実施形態では、図２７に関連して説明された如く、第１走査期間と３回の第２走査期間とは、全て同じＴ３となっている。したがって、第３実施形態の第２補正部２１８では、第２実施形態に関連して説明されたような画素の位置による調整は必要ではない。
【０２２９】
一方、図２６に関連して説明された如く、第３実施形態では、１回目乃至３回目の第２走査動作により画素を駆動する際に、当該画素の保持期間、つまり、全ての画素を駆動する第１走査動作で駆動された後、駆動されずに保持されていた保持期間が相違する。すなわち、例えばゲート線Ｌ３に対応する画素は、第１走査動作において、フレーム画像信号の目標輝度Ｉ３と一致しない選択輝度Ｉ１に基づき駆動された後、保持されることなく１回目の第２走査動作で駆動される。例えばゲート線Ｌ２に対応する画素は、第１走査動作において、フレーム画像信号の目標輝度Ｉ２と一致しない選択輝度Ｉ１に基づき駆動された後、１回目の第２走査動作では駆動されずに保持され、２回目の第２走査動作において、目標輝度Ｉ２に基づき駆動される。例えばゲート線Ｌ４に対応する画素は、第１走査動作において、フレーム画像信号の目標輝度Ｉ４と一致しない選択輝度Ｉ１に基づき駆動された後、１回目及び２回目の第２走査動作では駆動されずに保持され、３回目の第２走査動作において、目標輝度Ｉ４に基づき駆動される。このため、第２実施形態に関連して説明された如く、第２補正部２１８において、画素が達成している輝度の期待値を決定するためには、保持期間による調整が必要となる。
【０２３０】
図２８は、第３実施形態において第２補正部２１８が格納する第２補正テーブルの概念図である。第２実施形態と同様の要素に対して、同様の符号が割り当てられている。図１及び図２８を用いて、第２実施形態と異なる点を中心として第２補正部２１８が説明される。
【０２３１】
図２８に示される如く、期待値テーブル２２４は、調整テーブル２２７を含む。調整テーブル２２７は、画素の保持期間情報２２７２を含む。画素の保持期間情報２２７２は、駆動輝度が決定される画素の保持期間を表す情報を含む。第２補正部２１８は、調整テーブル２２７の画素の保持期間情報２２７２を用いて、図２５に関連して説明された保持期間に起因する達成輝度の差異を減少させるように仮期待値を調整し、期待値を決定する。
【０２３２】
第３実施形態では、映像信号処理部２１０は、第１走査動作において選択された画素は、第２走査動作では駆動されず、第１走査動作の状態が保持されるように、第２画像信号を生成する。本実施形態において、第１走査動作において選択された画素は、特定画素として例示される。
【０２３３】
また、第３実施形態では、液晶駆動部２２０は、３回（Ｎ＝２）の第２走査動作を実行しているが、ｎ回目（ｎは２以上Ｎ以下の整数）に第２走査動作が実行されるｎ個目の第２画像信号は、１回目から（ｎ−１）回目までの第２走査動作において選択された画素を駆動するデータを含まない。当該画素については、ｎ回目の第２走査動作では、前回駆動された走査動作の状態が保持される。本実施形態において、１回目から（ｎ−１）回目までの第２走査動作において選択された画素は、特定画素として例示される。
【０２３４】
＜第４実施形態＞
上記第２及び第３実施形態では、液晶駆動部２２０は、Ｎ回（Ｎ＝２，３）の第２走査動作を実行しているのに対し、第４実施形態では、液晶駆動部２２０は、１回の第２走査動作を実行した後、第３走査動作を実行する。以下、第１及び第２実施形態との相違点を中心に、第４実施形態が説明される。
【０２３５】
図２９は、第４実施形態において、入力されるフレーム画像信号で規定される目標輝度に対し、第１、第２及び第３走査動作で設定される目標輝度を表形式で概略的に示す図である。図３０は、液晶駆動部２２０が行う走査動作を示す概略的なグラフである。図３０（ａ）は、第１画像信号に基づく第１走査動作を示す。図３０（ｂ）は、第２画像信号に基づく第２走査動作を示す。図３０（ｃ）は、第３走査動作を示す。図３０は、ゲート線Ｌ１乃至Ｌ１２までの走査動作が示されている。図３０（ａ）乃至図３０（ｃ）の横軸は、ゲート線Ｌ１乃至Ｌ１２までの走査動作を行っている時間軸である。図３０（ａ）乃至図３０（ｃ）の縦軸は、液晶パネル２３１の副走査方向の位置を表す。図１、図２９及び図３０を用いて、第４実施形態における第１、第２及び第３走査動作が概略的に説明される。
【０２３６】
図２９に示されるように、ゲート線Ｌ１乃至Ｌ１２のデータ線Ｍにおける画素に対し、フレーム画像信号でそれぞれ目標輝度Ｉ１乃至Ｉ１２が規定されている。図２９に示されるように、第１走査動作は、上記第２実施形態と同様に実行されるため、図２１及び図２２に関連する第２実施形態に係る説明が好適に援用される。
【０２３７】
続く第２走査動作も、図２９に示されるように、上記第２実施形態における１回目の第２走査動作と同様に実行されるため、図２１及び図２２に関連する第２実施形態に係る説明が好適に援用される。
【０２３８】
続く第３走査動作では、映像信号処理部２１０は、フレーム画像信号（Ｌフレーム画像信号及びＲフレーム画像信号）に基づいて、全てのゲート線Ｌ１，Ｌ２，・・・上の画素を駆動するように、液晶駆動部２２０を制御する。したがって、液晶駆動部２２０は、ゲート線Ｌ１，Ｌ２，・・・に順次書き込みを行う。
【０２３９】
したがって、図３０（ａ）に示されるように、第１走査期間Ｔ３は、全てのゲート線Ｌ１，Ｌ２，・・・に順次信号を書き込む場合の期間（すなわち図３０（ｃ）に示される第３走査動作の期間Ｔ２）に比べて、１／４となる。同様に、図３０（ｂ）に示されるように、第２走査期間Ｔ３は、全てのゲート線Ｌ１，Ｌ２，・・・に順次信号を書き込む場合の期間（すなわち第３走査動作の期間Ｔ２）に比べて、１／４となる。
【０２４０】
このように、第４実施形態では、短期間で行われる第１走査動作及び第２走査動作によって、液晶パネル２３１の液晶の駆動が表示面全体に亘って短期間で実行されるので、表示面下部領域におけるクロストークが低減される。また、第４実施形態では、第２走査動作の実行後、フレーム画像信号に基づき全ての画素を駆動する第３走査動作を実行している。したがって、液晶のカップリングの影響等によって第２走査動作の保持期間中に生じ得る輝度ムラ等を低減することができる。
【０２４１】
（第２補正テーブル）
第４実施形態では、図３０に関連して説明された如く、第３走査期間Ｔ２は、第１及び第２走査期間Ｔ３に比べて長くなっている。したがって、第４実施形態の第２補正部２１８では、第２実施形態に関連して説明された画素の位置による調整が必要となる。
【０２４２】
また、図２９に関連して説明された如く、第４実施形態では、第３走査動作により画素を駆動する際に、当該画素の保持期間、つまり、全ての画素を駆動する第１走査動作で駆動された後、駆動されずに保持されていた保持期間が相違する。すなわち、例えばゲート線Ｌ１，Ｌ２に対応する画素は、第１走査動作において選択輝度Ｉ１に基づきそれぞれ駆動され、第２走査動作で保持された後、第３走査動作において目標輝度Ｉ１，Ｉ２に基づきそれぞれ駆動される。一方、例えばゲート線Ｌ３，Ｌ４に対応する画素は、第１走査動作において選択輝度Ｉ１に基づきそれぞれ駆動された後、保持されることなく第２走査動作で選択輝度Ｉ３に基づきそれぞれ駆動され、さらに第３走査動作において目標輝度Ｉ３，Ｉ４に基づきそれぞれ駆動される。このため、第２実施形態に関連して説明された如く、第２補正部２１８において、画素が達成している輝度の期待値を決定するためには、保持期間による調整が必要となる。
【０２４３】
以上のように、第４実施形態では、画素の位置及び保持期間による調整が必要となるため、第４実施形態の第２補正部２１８は、図２３に関連して説明された第２補正テーブル２２３を格納している。
【０２４４】
＜第５実施形態＞
上記第１乃至第４実施形態では、第１等価部２１１及び第２等価部２１４は、等価処理として選択処理を行っている。これに対して、第５実施形態では、第１等価部２１１及び第２等価部２１４は、等価処理として、選択処理に代えて平均化処理を行っている。
【０２４５】
（等価処理（平均化処理））
図３１は、液晶パネル２３１の一部を概略的に示す模式図である。図３２は、等価処理として例示される平均化処理を通じて設定される画素の輝度変化を示す。図１、図７、図３１及び図３２を用いて、平均化処理が説明される。
【０２４６】
液晶パネル２３１は、主走査方向に延びる複数のゲート線と、副走査方向に延びる複数のデータ線と、を含む。図３１には、副走査方向に整列したゲート線Ｌ１乃至Ｌ１６及び主走査方向に整列したデータ線Ｍ１乃至Ｍ３２が示されている。各ゲート線Ｌ１乃至Ｌ１６と各データ線Ｍ１乃至Ｍ３２との交点には、画素Ｐ及び画素Ｐに対応する液晶（図示せず）がそれぞれ割り当てられる。各ゲート線Ｌ１乃至Ｌ１６と各データ線Ｍ１乃至Ｍ３２とに印加される電圧に応じて、液晶の駆動量が定められる。
【０２４７】
図３２（ａ）、３３（ｂ）には、ゲート線Ｌ１乃至Ｌ４とデータ線Ｍ１及びＭ２とのそれぞれの交点に対応する画素Ｐ１乃至Ｐ８が示されている。第１等価部２１１及び第２等価部２１４は、副走査方向に隣接して整列した複数の画素を含む画素グループ（図３２（ａ）、３３（ｂ）中、点線で囲まれる画素の組）を設定する。図３２（ａ）には、データ線Ｍ１上に隣接して整列した画素Ｐ１，Ｐ２，Ｐ３，Ｐ４の組を含む画素グループＧ１１と、データ線Ｍ２上に隣接して整列した画素Ｐ５，Ｐ６，Ｐ７，Ｐ８の組を含む画素グループＧ１２とが示されている。図３２（ｂ）には、さらに、画素グループＧ１１が分割された、画素Ｐ１，Ｐ２の組を含むサブグループＧ１３と、画素Ｐ３，Ｐ４の組を含むサブグループＧ１４と、画素グループＧ１２が分割された、画素Ｐ５，Ｐ６の組を含むサブグループＧ１５と、画素Ｐ７，Ｐ８の組を含むサブグループＧ１６とが示されている。
【０２４８】
図３２（ａ）中の各画素内に示された数値は、画素に対して割り当てられた輝度を示す。フレーム画像信号は、例えば、画素Ｐ１，Ｐ３に対して、「５０」の輝度を規定し、画素Ｐ２，Ｐ４に対して、「１０」の輝度を規定し、画素Ｐ５，Ｐ７に対して、「８０」の輝度を規定し、画素Ｐ６，Ｐ８に対して、「６０」の輝度を規定している。第１等価部２１１及び第２等価部２１４は、各画素グループＧ１１，Ｇ１２内で輝度を平均化する。第１等価部２１１及び第２等価部２１４は、画素グループＧ１１中の画素Ｐ１，Ｐ２，Ｐ３，Ｐ４に対して規定された「５０」の輝度、「１０」の輝度、「５０」の輝度、及び「１０」の輝度を平均化し、「３０」の輝度を画素Ｐ１，Ｐ２，Ｐ３，Ｐ４に設定する。第１等価部２１１及び第２等価部２１４は、画素グループＧ１２中の画素Ｐ５，Ｐ６，Ｐ７，Ｐ８に対して規定された「８０」の輝度、「６０」の輝度、「８０」の輝度、及び「６０」の輝度を平均化し、「７０」の輝度を画素Ｐ５，Ｐ６，Ｐ７，Ｐ８に設定する。図３１に示される如く、上述の平均化処理は、ゲート線Ｌ１乃至Ｌ１６と各データ線Ｍ１乃至Ｍ３２との交点に対応する全ての画素Ｐに対して実行される。本実施形態において、フレーム画像信号が画素グループ内の画素に対して規定した目標輝度の平均値は、平均輝度として例示される。
【０２４９】
本実施形態では、第２補正部２１８は、選択輝度に代えて、第１等価部２１１及び第２等価部２１４が規定した平均輝度に基づき、期待値を決定する。この点以外の映像信号処理部２１０における動作は、上記第１実施形態に係る説明が好適に援用される。
【０２５０】
第５実施形態では、液晶駆動部２２０は、第４実施形態と同様に、１回の第２走査動作を実行した後、第３走査動作を実行する。以下、第１及び第４実施形態との相違点を中心に、第５実施形態における走査動作が説明される。
【０２５１】
図３３は、第５実施形態において、入力されるフレーム画像信号で規定される目標輝度に対し、第１、第２及び第３走査動作で設定される目標輝度を表形式で概略的に示す図である。図１、図３１乃至図３３を用いて、第５実施形態における第１、第２及び第３走査動作が概略的に説明される。
【０２５２】
図３３に示されるように、上記第１実施形態と同様に、ゲート線Ｌ１乃至Ｌ１２のデータ線Ｍにおける画素に対し、フレーム画像信号でそれぞれ目標輝度Ｉ１乃至Ｉ１２が規定されている。第１走査動作では、副走査方向に隣接して整列した４個の画素を含む画素グループが設定される。すなわち、例えば図３２（ａ）に示されるように、ゲート線Ｌ１，Ｌ２，Ｌ３，Ｌ４に対応する画素Ｐ１，Ｐ２，Ｐ３，Ｐ４を含む画素グループＧ１１が設定される。
【０２５３】
第１走査動作では、映像信号処理部２１０は、画素グループごとに、図３１及び図３２に関連して説明された平均化処理によって求められた平均輝度が、画素グループに含まれる画素の共通する目標輝度として設定されるように、第１画像信号を生成する。液晶駆動部２２０は、映像信号処理部２１０により生成された第１画像信号に基づき第１走査動作を実行し、画素グループに含まれる全ての画素（つまりデータ線Ｍ上の全ての画素）を駆動する。すなわち、例えばゲート線Ｌ１，Ｌ２，Ｌ３，Ｌ４に対応する画素の組（画素グループ）は、それぞれ目標輝度Ｉ１，Ｉ２，Ｉ３，Ｉ４が平均された平均輝度に基づき駆動される。同様に、例えばゲート線Ｌ９，Ｌ１０，Ｌ１１，Ｌ１２に対応する画素の組は、それぞれ目標輝度Ｉ９，Ｉ１０，Ｉ１１，Ｉ１２が平均された平均輝度に基づき駆動される。
【０２５４】
続く第２走査動作では、４個の画素を含む画素グループがさらに分割されて、２個の画素を含むサブグループが設定される。すなわち、例えば図３２（ｂ）に示されるように、画素グループＧ１１はさらに分割されて、ゲート線Ｌ１，Ｌ２に対応する画素Ｐ１，Ｐ２を含むサブグループＧ１３と、ゲート線Ｌ３，Ｌ４に対応する画素Ｐ３，Ｐ４を含むサブグループＧ１４とが設定される。
【０２５５】
第２走査動作では、映像信号処理部２１０は、一方のサブグループの画素が駆動され、他方のサブグループの画素が駆動されずに、そのまま保持されるように、第２画像信号を生成する。映像信号処理部２１０は、駆動するサブグループの画素は、図３１及び図３２に関連して説明された平均化処理によって求められた平均輝度が、サブグループに含まれる画素の共通する目標輝度として設定されるように、第２画像信号を生成する。液晶駆動部２２０は、映像信号処理部２１０により生成された第２画像信号に基づき、第２走査動作を実行し、一部のサブグループに含まれる画素（つまりデータ線Ｍ上の一部の画素）を駆動する。
【０２５６】
すなわち、例えばゲート線Ｌ１，Ｌ２，Ｌ３，Ｌ４に対応する画素の組（画素グループ）のうち、ゲート線Ｌ１，Ｌ２に対応する画素の組（サブグループ）は、第２走査動作では駆動されずに保持される一方、ゲート線Ｌ３，Ｌ４に対応する画素の組（サブグループ）は、それぞれ目標輝度Ｉ３，Ｉ４が平均された平均輝度に基づき駆動される。同様に、例えばゲート線Ｌ９，Ｌ１０，Ｌ１１，Ｌ１２に対応する画素の組（画素グループ）のうち、ゲート線Ｌ９，Ｌ１０に対応する画素の組（サブグループ）は、第２走査動作では駆動されずに保持される一方、ゲート線Ｌ１１，Ｌ１２に対応する画素の組（サブグループ）は、それぞれ目標輝度Ｉ１１，Ｉ１２が平均された平均輝度に基づき駆動される。本実施形態において、駆動される一部のサブグループが駆動サブグループとして例示される。
【０２５７】
続く第３走査動作では、映像信号処理部２１０は、フレーム画像信号（Ｌフレーム画像信号及びＲフレーム画像信号）に基づいて、全てのゲート線Ｌ１，Ｌ２，・・・上の画素を駆動するように、液晶駆動部２２０を制御する。したがって、液晶駆動部２２０は、ゲート線Ｌ１，Ｌ２，・・・に順次書き込みを行う。
【０２５８】
図３３と図２９とを対比すると分るように、第５実施形態において液晶駆動部２２０が行う走査期間は、図３０に関連して説明された第４実施形態と同様になる。したがって、図３０（ａ）に示されるように、第１走査期間Ｔ３は、全てのゲート線Ｌ１，Ｌ２，・・・に順次信号を書き込む場合の期間（すなわち図３０（ｃ）に示される第３走査動作の期間Ｔ２）に比べて、１／４となる。同様に、図３０（ｂ）に示されるように、第２走査期間Ｔ３は、全てのゲート線Ｌ１，Ｌ２，・・・に順次信号を書き込む場合の期間（すなわち第３走査動作の期間Ｔ２）に比べて、１／４となる。
【０２５９】
このように、第５施形態では、短期間で行われる第１走査動作及び第２走査動作によって、液晶パネル２３１の液晶の駆動が表示面全体に亘って短期間で実行されるので、表示面下部領域におけるクロストークが低減される。また、第５実施形態では、平均輝度が用いられているので、画素グループに含まれる全ての画素に対してフレーム画像信号が規定する目標輝度から大きく乖離しない輝度に設定することができる。また、第５実施形態では、第２走査動作までは、各画素が目標輝度と異なる平均輝度に基づき駆動されているが、第２走査動作の実行後、フレーム画像信号に基づき全ての画素を駆動する第３走査動作を実行しているため、フレーム画像信号で規定されている目標輝度を実現することができる。
【０２６０】
上述の如く、第５実施形態において液晶駆動部２２０が行う走査動作は、図３０に関連して説明された第４実施形態と同様になる。したがって、第５実施形態でも、第４実施形態と同様に、画素の位置による調整及び画素の保持期間による調整が必要になる。このため、第５実施形態の第２補正部２１８は、図２３に関連して説明された第２補正テーブル２２３を格納している。
【０２６１】
なお、第５実施形態の第１及び第２走査動作において用いる平均輝度は、図３３に示されるものに限らない。以下、第５実施形態の異なる形態が説明される。
【０２６２】
図３４は、第５実施形態の異なる形態において、入力されるフレーム画像信号で規定される目標輝度に対し、第１、第２及び第３走査動作で設定される目標輝度を表形式で概略的に示す図である。図１及び図３４を用いて、第５実施形態との相違点が説明される。
【０２６３】
第１走査動作では、例えばゲート線Ｌ１，Ｌ２，Ｌ３，Ｌ４に対応する画素の組（画素グループ）は、それぞれ目標輝度Ｉ１，Ｉ２が平均された平均輝度に基づき駆動される。同様に、例えばゲート線Ｌ９，Ｌ１０，Ｌ１１，Ｌ１２に対応する画素の組（画素グループ）は、それぞれ目標輝度Ｉ９，Ｉ１０が平均された平均輝度に基づき駆動される。
【０２６４】
続く第２走査動作では、例えばゲート線Ｌ１，Ｌ２，Ｌ３，Ｌ４に対応する画素の組（画素グループ）のうち、ゲート線Ｌ１，Ｌ２に対応する画素の組（サブグループ）は、第２走査動作では駆動されずに保持される一方、ゲート線Ｌ３，Ｌ４に対応する画素の組（サブグループ）は、それぞれ目標輝度Ｉ３，Ｉ４が平均された平均輝度に基づき駆動される。同様に、例えばゲート線Ｌ９，Ｌ１０，Ｌ１１，Ｌ１２に対応する画素の組（画素グループ）のうち、ゲート線Ｌ９，Ｌ１０に対応する画素の組（サブグループ）は、第２走査動作では駆動されずに保持される一方、ゲート線Ｌ１１，Ｌ１２に対応する画素の組（サブグループ）は、それぞれ目標輝度Ｉ１１，Ｉ１２が平均された平均輝度に基づき駆動される。
【０２６５】
続く第３走査動作では、第５実施形態と同様に、映像信号処理部２１０は、フレーム画像信号に基づいて、全てのゲート線Ｌ１，Ｌ２，・・・上の画素を駆動するように、液晶駆動部２２０を制御し、液晶駆動部２２０は、ゲート線Ｌ１，Ｌ２，・・・に順次書き込みを行う。
【０２６６】
（上記各実施形態の効果）
図３５は、例えば第４実施形態又は第５実施形態における第１走査動作、第２走査動作及び第３走査動作によって得られる空間スペクトルを概略的に示すグラフである。図３６は、第１走査動作、第２走査動作及び第３走査動作によって描かれるオブジェクトを例示する。図３６（ａ）は、第１走査動作によって描かれるオブジェクトを示す。図３６（ｂ）は、第２走査動作によって描かれるオブジェクトを示す。図３６（ｃ）は、第３走査動作によって描かれるオブジェクトを示す。
【０２６７】
第４実施形態において、第１走査動作では画素４個ごとに輝度が設定されている。第２走査動作では画素２個ごとに、輝度が設定されるか又は第１走査動作の輝度が保持されている。第３走査動作では画素ごとに輝度が設定されている。したがって、先行の走査動作によって描かれるオブジェクトよりも後続の走査動作によって描かれるオブジェクトの解像度が高い。この点は、他の実施形態でも同様である。すなわち、例えば第１実施形態において、第１走査動作では画素２個ごとに輝度が設定され、第２走査動作では画素１個ごとに、輝度が設定されるか又は第１走査動作の輝度が保持されている。したがって、先行の走査動作（第１走査動作）によって描かれるオブジェクトよりも後続の走査動作（第２走査動作）によって描かれるオブジェクトの解像度が高い。オブジェクトの解像度が高いならば、空間周波数は高くなる。オブジェクトの解像度が低いならば、空間周波数は低くなる。
【０２６８】
一般的に、空間周波数が低い領域ほど、クロストークが視聴者に知覚されやすい。図３６に示されるように、早期に行われる第１走査動作によって、低い空間周波数の領域の描画が達成される。後続の第２走査動作及び第３走査動作によって、高い空間周波数の領域の描画が順次なされる。したがって、液晶の応答が不十分であっても、クロストークが知覚されやすい領域の描画は、早期に完了しているので、視聴者はほとんどクロストークを知覚しない。かくして、クロストークを生じにくい液晶パネル２３１の駆動が達成される。
【０２６９】
上述の様々な実施形態において、先行するフレーム画像の輝度レベルや画素の位置といった様々な要素に基づき、液晶を駆動するための駆動輝度が設定される。駆動輝度の設定に用いられた様々な要素に加えて、他の要素が考慮されてもよい。例えば、液晶パネルの温度分布及び／又は液晶の応答速度や画素の輝度に影響する他の要素が、駆動輝度を設定するために用いられてもよい。
【０２７０】
また、上述の様々な実施形態では、左眼用映像信号及び右眼用映像信号が入力され、立体的に知覚される映像を表示する表示装置２００としているが、これに限られない。本発明は、通常の映像信号が入力され、平面的に知覚される映像を表示する通常の表示装置に適用することができる。この表示装置は、図１に示される表示装置２００において、第２制御部２４０を省略し、映像信号処理部２１０には、左眼用映像信号及び右眼用映像信号に代えて、通常の映像信号が入力されるように構成すればよい。
【産業上の利用可能性】
【０２７１】
本発明は、クロストークの低減が可能な表示装置及び映像視聴システムとして好適である。
【符号の説明】
【０２７２】
１００・・・・・・・・・・・・・・・・・映像視聴システム
２００・・・・・・・・・・・・・・・・・表示装置
２１０・・・・・・・・・・・・・・・・・映像信号処理部
２２０・・・・・・・・・・・・・・・・・液晶駆動部
２２２・・・・・・・・・・・・・・・・・第１補正テーブル
２２３・・・・・・・・・・・・・・・・・第２補正テーブル
２２４・・・・・・・・・・・・・・・・・期待値テーブル
２２５・・・・・・・・・・・・・・・・・決定テーブル
２２６・・・・・・・・・・・・・・・・・入力テーブル
２２７・・・・・・・・・・・・・・・・・調整テーブル
２２７１・・・・・・・・・・・・・・・・画素の位置情報
２２７２・・・・・・・・・・・・・・・・画素の保持期間情報
２３１・・・・・・・・・・・・・・・・・液晶パネル
３００・・・・・・・・・・・・・・・・・眼鏡装置
３１１・・・・・・・・・・・・・・・・・左眼シャッタ
３１２・・・・・・・・・・・・・・・・・右眼シャッタ
ＩＲｘ（１）・・・・・・・・・・・・・・第１画像信号
ＩＲｘ（２）・・・・・・・・・・・・・・第２画像信号
Ｐ，Ｐ１乃至Ｐ８・・・・・・・・・・・・・・画素
ＳＬｘ（２）・・・・・・・・・・・・・・Ｌフレーム画像信号
ＳＲｘ（１），ＳＬｘ（１）・・・・・・・等価信号
ＳＲｘ（１ｄ），ＳＬｘ（１ｄ）・・・・・等価信号
ＳＲｘ（２）・・・・・・・・・・・・・・Ｒフレーム画像信号
【図１】
0005726509.tif 000002
【図２】
0005726509.tif 000003
【図３】
0005726509.tif 000004
【図４】
0005726509.tif 000005
【図５】
0005726509.tif 000006
【図６】
0005726509.tif 000007
【図７】
0005726509.tif 000008
【図８】
0005726509.tif 000009
【図９】
0005726509.tif 000010
【図１０】
0005726509.tif 000011
【図１１】
0005726509.tif 000012
【図１２】
0005726509.tif 000013
【図１３】
0005726509.tif 000014
【図１４】
0005726509.tif 000015
【図１５】
0005726509.tif 000016
【図１６】
0005726509.tif 000017
【図１７】
0005726509.tif 000018
【図１８】
0005726509.tif 000019
【図１９】
0005726509.tif 000020
【図２０】
0005726509.tif 000021
【図２１】
0005726509.tif 000022
【図２２】
0005726509.tif 000023
【図２３】
0005726509.tif 000024
【図２４】
0005726509.tif 000025
【図２５】
0005726509.tif 000026
【図２６】
0005726509.tif 000027
【図２７】
0005726509.tif 000028
【図２８】
0005726509.tif 000029
【図２９】
0005726509.tif 000030
【図３０】
0005726509.tif 000031
【図３１】
0005726509.tif 000032
【図３２】
0005726509.tif 000033
【図３３】
0005726509.tif 000034
【図３４】
0005726509.tif 000035
【図３５】
0005726509.tif 000036
【図３６】
0005726509.tif 000037
【図３７】
0005726509.tif 000038
【図３８】
0005726509.tif 000039
【図３９】
0005726509.tif 000040